(57)【特許請求の範囲】
【請求項１】
写真シール作成装置で作成された複数の画像をまとめたアルバムを管理するサーバと通信することにより、当該サーバが作成したページであり、上記アルバムにまとめられた画像であるアルバム画像を複数枚提示するページであるアルバムページを受信し表示部に表示させる通信端末であって、
ユーザの入力操作を受け付ける入力部と、
上記入力操作から上記アルバム画像の配置の変更指示を受けたか否かを判定する指示判定部と、
上記指示判定部が上記変更指示を受けたと判定した場合に、上記変更指示が示す、変更後の上記アルバム画像の配置を示す情報を上記サーバに送信する送信部と、を備えることを特徴とする通信端末。
【請求項２】
上記入力操作は、上記配置の変更対象のアルバム画像を選択する操作と、上記変更対象のアルバム画像の変更後の配置を指定する操作とから成り、
上記変更指示は、上記変更対象のアルバム画像を上記指定に応じて配置する指示を示すことを特徴とする、請求項１に記載の通信端末。
【請求項３】
上記入力操作は、上記アルバムページに提示された複数枚の上記アルバム画像の少なくともいずれかを、上記配置の変更対象のアルバム画像として選択する操作と、
上記配置の変更対象のアルバム画像の上記変更後の表示位置を指定する指示であることを特徴とする、請求項１または２に記載の通信端末。
【請求項４】
上記指示判定部は、上記入力操作から、上記アルバム画像を所定のソート条件に応じて並び替える指示を受けたか否かを判定し、
上記送信部は、上記指示判定部が上記指示を受けたと判定した場合に、上記サーバに上記ソート条件に従って上記アルバム画像を並び替えることを指示するソート指示を送信することを特徴とする、請求項１〜３のいずれか１項に記載の通信端末。
【請求項５】
上記入力操作から少なくとも１つの上記アルバム画像を特定する変更画像特定部と、
上記変更画像特定部が上記アルバム画像を特定した場合に、上記アルバムに含まれる上記画像を、所定の条件に応じて並び替えた結果を表示するソートページを上記サーバに作成させるソートページ作成指示部と、
上記入力部が、上記ソートページに表示されたアルバム画像を選択する入力操作を受け付けた場合に、選択されたアルバム画像を特定する選択画像特定部と、を備え、
上記表示部は上記サーバから上記ソートページを受信した場合、上記アルバムページとともに上記ソートページを表示し、
上記送信部は、上記選択画像特定部が特定した上記アルバム画像を、上記変更画像特定部が特定した上記アルバム画像の配置箇所に挿入する指示を上記サーバに送信することを特徴とする、請求項１〜４のいずれか１項に記載の通信端末。
【請求項６】
上記指示判定部は、上記入力操作から上記アルバム画像の表示サイズを変更する表示サイズ変更指示を受けたか否かを判定し、
上記送信部は、上記指示判定部が上記表示サイズ変更指示を受けたと判定した場合に、上記表示サイズ変更指示が示す、変更後の上記アルバム画像の表示サイズを示す情報を上記サーバに送信することを特徴とする、請求項１〜５のいずれか１項に記載の通信端末。
【請求項７】
上記送信部は、上記指示判定部が上記表示サイズ変更指示を受けたと判定した場合、表示サイズの変更対象となったアルバム画像以外のアルバム画像の表示サイズを、上記変更対象となったアルバム画像の変更後の表示サイズに応じて変更する指示を上記サーバに送信することを特徴とする、請求項６に記載の通信端末。
【請求項８】
上記指示判定部は、上記入力操作から各アルバム画像の重畳関係を変更する重畳関係変更指示を受けたか否かを判定し、
上記送信部は、上記指示判定部が上記重畳関係変更指示を受けたと判定した場合に、上記重畳関係変更指示が示す、変更後の各アルバム画像の重畳関係を示す情報を上記サーバに送信することを特徴とする、請求項１〜７のいずれか１項に記載の通信端末。
【請求項９】
上記指示判定部は、上記入力操作から上記アルバム画像の表示角度を変更する表示角度変更指示を受けたか否かを判定し、
上記送信部は、上記指示判定部が上記表示角度変更指示を受けたと判定した場合に、上記表示角度変更指示が示す、変更後の上記アルバム画像の表示角度を示す情報を上記サーバに送信することを特徴とする、請求項１〜８のいずれか１項に記載の通信端末。
【請求項１０】
上記指示判定部は、上記入力操作から上記アルバム画像の画像全体のうちで上記アルバムページに表示される領域である表示領域を変更する表示領域変更指示を受けたか否かを判定し、
上記送信部は、上記指示判定部が上記表示領域変更指示を受けたと判定した場合に、上記表示領域変更指示が示す、変更後の上記表示領域を示す情報を上記サーバに送信することを特徴とする、請求項１〜９のいずれか１項に記載の通信端末。
【請求項１１】
上記指示判定部は、上記入力操作から上記アルバムページのスクロールを指示するスクロール指示を受け付けたか否かを判定し、
上記指示判定部が、上記スクロール指示を受け付けたと判定した場合に、上記表示部に表示させている上記アルバムページを所定の速度でスクロールさせるスクロール部を備えることを特徴とする、請求項１〜１０のいずれか１項に記載の通信端末。
【請求項１２】
上記指示判定部は、上記入力操作の継続時間が所定の閾値以下である場合に、当該入力操作を上記スクロール指示であると判定することを特徴とする、請求項１１に記載の通信端末。
【請求項１３】
上記入力操作の方向を特定する方向特定部を備え、
上記スクロール部は、上記方向特定部が特定した上記入力操作の方向に応じた方向に、上記アルバムページをスクロールさせることを特徴とする、請求項１１または１２に記載の通信端末。
【請求項１４】
上記指示判定部は、上記入力操作から上記アルバムページのスクロールの停止を指示するスクロール停止指示を受け付けたか否かを判定し、
上記スクロール部は、上記指示判定部が上記スクロール停止指示を受け付けたと判定した場合に、上記アルバムページのスクロールを停止させることを特徴とする、請求項１１〜１３のいずれか１項に記載の通信端末。
【請求項１５】
請求項１〜１４のいずれか１項に記載の通信端末と通信するサーバであって、
上記送信部から上記アルバム画像の配置を示す情報を受信する情報受信部と、
上記情報受信部が受信した上記配置を示す情報を反映させたアルバムページを作成するアルバムページ作成部と、
上記アルバムページ作成部が作成した上記アルバムページを上記通信端末に送信するサーバ送信部と、を備えることを特徴とするサーバ。
【請求項１６】
写真シール作成装置で作成された複数の画像をまとめたアルバムを管理するサーバと通信することにより、当該サーバが作成したページであり、上記アルバムにまとめられた画像であるアルバム画像を複数枚提示するページであるアルバムページを受信し表示部に表示させる通信端末の制御方法であって、
ユーザの入力操作を受け付ける入力ステップと、
上記入力操作から上記アルバム画像の配置の変更指示を受けたか否かを判定する指示判定ステップと、
上記指示判定ステップにて上記変更指示を受けたと判定した場合に、上記変更指示が示す、変更後の上記アルバム画像の配置を示す情報を上記サーバに送信することにより、当該サーバに上記配置を示す情報を反映させた上記アルバムページを作成させる送信ステップと、を備えることを特徴とする制御方法。
【請求項１７】
請求項１〜１４のいずれか１項に記載の通信端末と通信するサーバの制御方法であって、
上記通信端末から上記アルバム画像の配置を示す情報を受信する情報受信ステップと、
上記情報受信ステップにて受信した上記配置を示す情報を反映させたアルバムページを作成するアルバムページ作成ステップと、
上記アルバムページ作成ステップにて作成した上記アルバムページを上記通信端末に送信する送信ステップと、を備えることを特徴とする制御方法。
【請求項１８】
請求項１に記載の通信端末としてコンピュータを機能させるための制御プログラムであって、上記入力部、上記指示判定部、および送信部としてコンピュータを機能させるための制御プログラム。
【請求項１９】
請求項１８に記載の制御プログラムを記録したコンピュータ読み取り可能な記録媒体。
【請求項２０】
請求項１５に記載のサーバとしてコンピュータを機能させるための制御プログラムであって、上記情報受信部、上記アルバムページ作成部、および上記送信部としてコンピュータを機能させるための制御プログラム。
【請求項２１】
請求項２０に記載の制御プログラムを記録したコンピュータ読み取り可能な記録媒体。
【発明の詳細な説明】
【技術分野】
【０００１】
本発明は、写真シール作成装置で作成された画像を管理するサーバ、および当該サーバが管理する上記画像を閲覧する通信端末などに関する。
【背景技術】
【０００２】
近年の写真シール作成装置は、撮影した画像を画像処理して見栄えの良い画像を生成する機能、および、生成した画像を管理サーバに送信する機能等を有したものが多い。これらの機能を利用して、ユーザに様々なサービスを提供することができる。
【０００３】
例えば、特許文献１には、写真シール作成装置で撮影した自他を問わない画像を利用者の好みの傾向を判断し、画像を当該判断に対応した部分に投稿し表示できる技術が開示されている。また、特許文献２には、写真シール機から投稿した画像を手帳に貼り付けたように表示するウェブページを作成する技術が開示されている。さらに特許文献３には、上記ウェブページにおいて、他のユーザが写りこんでいる画像の代わりに別の画像が表示される写真シール作成装置が開示されている。
【先行技術文献】
【特許文献】
【０００４】
【特許文献１】特許第４０８１１３２号公報（２００８年２月１５日登録）
【特許文献２】特開２０１０−２５８７７３号公報（２０１０年１１月１１日公開）
【特許文献３】特許第５４０８４８４号公報（２０１３年１１月１５日登録）
【発明の概要】
【発明が解決しようとする課題】
【０００５】
しかしながら、上述のような従来技術では、単に画像を並べて一覧表示するだけであり、ユーザが自らの趣向に沿ったレイアウトでウェブページを作成することができなかった。
【０００６】
本発明は上記問題点に鑑みたものであり、その目的は、ユーザの趣向に沿ったウェブページを提供することが可能な通信端末などを実現することにある。
【課題を解決するための手段】
【０００７】
上記の課題を解決するために、本発明に係る通信端末は、写真シール作成装置で作成された複数の画像がアルバム画像としてまとめられたアルバムを管理するサーバと通信することにより、当該サーバが作成したウェブページであり、上記アルバム画像を提示するウェブページであるアルバムページを受信し表示部に表示させる通信端末であって、ユーザの入力操作を受け付ける入力部と、上記入力操作から上記アルバム画像の配置の変更指示を受けたか否かを判定する指示判定部と、上記指示判定部が上記変更指示を受けたと判定した場合に、上記変更指示が示す、変更後の上記アルバム画像の配置を示す情報を上記サーバに送信する送信部と、を備えることを特徴としている。
【０００８】
また、上記の課題を解決するために、本発明に係る通信端末の制御方法は、写真シール作成装置で作成された複数の画像がアルバム画像としてまとめられたアルバムを管理するサーバと通信することにより、当該サーバが作成したウェブページであり、上記アルバム画像を提示するウェブページであるアルバムページを受信し表示部に表示させる通信端末の制御方法であって、ユーザの入力操作を受け付ける入力ステップと、上記入力操作から上記アルバム画像の配置の変更指示を受けたか否かを判定する指示判定ステップと、上記指示判定ステップにて上記変更指示を受けたと判定した場合に、上記変更指示が示す、変更後の上記アルバム画像の配置を示す情報を上記サーバに送信することにより、当該サーバに上記配置を示す情報を反映させた上記アルバムページを作成させる送信ステップと、を備えることを特徴としている。
【０００９】
上記構成によると、通信端末の指示判定部は、ユーザの入力操作からアルバム画像の配置（表示位置）の変更指示およびその内容を特定し、送信部はサーバに当該指示内容、すなわちアルバム画像の変更後の配置を送信する。そして、サーバにおいて上記変更後の配置に応じたアルバムページが作成され、通信端末は当該アルバムページを受信する。したがって、通信端末は、ユーザの入力操作に応じてアルバム画像の配置を変更させることができる。これにより、通信端末は、ユーザの趣向に沿ったアルバムページを提供することができる。
【００１０】
また、本発明に係る通信端末において、上記入力操作は、上記配置の変更対象のアルバム画像を選択する操作と、上記変更対象のアルバム画像の変更後の配置を指定する操作とから成り、上記変更指示は、上記変更対象のアルバム画像を上記指定に応じて配置する指示を示すことが好ましい。
【００１１】
上記構成によると、通信端末はユーザの操作に応じて選択されたアルバム画像の配置をユーザの操作に応じて指定された配置に変更することができる。したがって、通信端末はサーバに対し、アルバムページを個々のアルバム画像に対するユーザの指示操作に応じて作成させることができる。
【００１２】
また、本発明に係る通信端末において、上記入力操作から少なくとも１つの上記アルバム画像を特定する変更画像特定部と、上記変更画像特定部が上記アルバム画像を特定した場合に、上記アルバムに含まれる上記画像を、所定の条件に応じて並び替えた結果を表示するソートページを上記サーバに作成させるソートページ作成指示部と、上記入力部が、上記ソートページに表示されたアルバム画像を選択する入力操作を受け付けた場合に、選択されたアルバム画像を特定する選択画像特定部と、を備え、上記表示部は上記サーバから上記ソートページを受信した場合、上記アルバムページとともに上記ソートページを表示し、上記送信部は、上記選択画像特定部が特定した上記アルバム画像を、上記変更画像特定部が特定した上記アルバム画像の配置箇所に挿入する指示を上記サーバに送信することが好ましい。
【００１３】
上記構成によると、通信端末はサーバに、特定されたアルバム画像の配置箇所に、ソートページから選択された画像を挿入させたアルバムページを作成させることができる。したがって、通信端末は、ユーザが挿入したいアルバム画像を簡便に見つけられることを可能にする。
【００１４】
また、本発明に係る通信端末において、上記指示判定部は、上記入力操作から上記アルバム画像の表示サイズを変更する表示サイズ変更指示を受けたか否かを判定し、上記送信部は、上記指示判定部が上記表示サイズ変更指示を受けたと判定した場合に、上記表示サイズ変更指示が示す、変更後の上記アルバム画像の表示サイズを示す情報を上記サーバに送信することが好ましい。
【００１５】
上記構成によると、通信端末はサーバに、ユーザの指示に応じてアルバム画像の表示サイズを変更させることができる。そして通信端末は、サーバが上記変更後の表示サイズに基づいて作成したアルバムページを受信し表示することができる。これにより、通信端末は、ユーザの所望の表示サイズでアルバム画像を表示することができる。したがって、通信端末は、ユーザの趣向により沿ったアルバムページを提供することができる。
【００１６】
また、本発明に係る通信端末において、上記送信部は、上記指示判定部が上記表示サイズ変更指示を受けたと判定した場合、表示サイズの変更対象となったアルバム画像以外のアルバム画像の表示サイズを、上記変更対象となったアルバム画像の変更後の表示サイズに応じて変更する指示を上記サーバに送信することが好ましい。
【００１７】
上記構成によると、通信端末はサーバに、ユーザの指示に応じてアルバム画像の表示サイズを変更させることができる。さらに通信端末はサーバに、上記表示サイズの変更に伴い、表示サイズの変更対象として指定されないアルバム画像についても自動で表示サイズを変更させることができる。これにより、通信装置は、表示サイズの調整がなされたより見栄えの良いアルバムページを提供することができる。
【００１８】
また、本発明に係る通信端末において、上記指示判定部は、上記入力操作から各アルバム画像の重畳関係を変更する重畳関係変更指示を受けたか否かを判定し、上記送信部は、上記指示判定部が上記重畳関係変更指示を受けたと判定した場合に、上記重畳関係変更指示が示す、変更後の各アルバム画像の重畳関係を示す情報を上記サーバに送信することが好ましい。
【００１９】
上記構成によると、通信端末はサーバに、ユーザの指示に応じてアルバム画像の重畳関係を変更させることができる。そして通信端末は、サーバが上記変更後の重畳関係に基づいて作成したアルバムページを受信し表示することができる。これにより、通信端末は、ユーザの所望の重畳関係でアルバム画像を表示することができる。したがって、通信端末は、ユーザの趣向により沿ったアルバムページを提供することができる。
【００２０】
また、本発明に係る通信端末において、上記指示判定部は、上記入力操作から上記アルバム画像の表示角度を変更する表示角度変更指示を受けたか否かを判定し、上記送信部は、上記指示判定部が上記表示角度変更指示を受けたと判定した場合に、上記表示角度変更指示が示す、変更後の上記アルバム画像の表示角度を示す情報を上記サーバに送信することが好ましい。
【００２１】
上記構成によると、通信端末はサーバに、ユーザの指示に応じてアルバム画像の表示角度を変更させることができる。そして通信端末は、サーバが上記変更後の表示角度に基づいて作成したアルバムページを受信し表示することができる。これにより、通信端末は、ユーザの所望の表示角度でアルバム画像を表示することができる。したがって、通信端末は、ユーザの趣向により沿ったアルバムページを提供することができる。
【００２２】
また、本発明に係る通信端末において、上記指示判定部は、上記入力操作から上記アルバム画像の画像全体のうちで上記アルバムページに表示される領域である表示領域を変更する表示領域変更指示を受けたか否かを判定し、上記送信部は、上記指示判定部が上記表示領域変更指示を受けたと判定した場合に、上記表示領域変更指示が示す、変更後の上記表示領域を示す情報を上記サーバに送信することが好ましい。
【００２３】
上記構成によると、通信端末はサーバに、ユーザの指示に応じてアルバム画像の表示領域を変更させることができる。そして通信端末は、サーバが上記変更後の表示領域に基づいて作成したアルバムページを受信し表示することができる。これにより、通信端末は、アルバム画像のうちユーザの所望の表示領域のみを表示することができる。したがって、通信端末は、ユーザの趣向により沿ったアルバムページを提供することができる。
【００２４】
また、本発明に係る通信端末において、上記指示判定部は、上記入力操作から上記アルバムページのスクロールを指示するスクロール指示を受け付けたか否かを判定し、上記指示判定部が、上記スクロール指示を受け付けたと判定した場合に、上記表示部に表示させている上記アルバムページを所定の速度でスクロールさせるスクロール部を備えていてもよい。
【００２５】
上記構成によると、通信端末のスクロール部はユーザの入力操作に応じて所定の速度でアルバムページをスクロールさせることができる。換言すると、上記スクロールは所定の速度で行われる、すなわち速度が減衰したりスクロール自体が停止したりしないので、ユーザは、アルバムページのスクロールのために繰り返し入力操作を行わなくともよい。したがって、通信端末は、アルバムページの閲覧に係るユーザの操作の手間を省くことができる。
【００２６】
また、本発明に係る通信端末において、上記指示判定部は、上記入力操作の継続時間が所定の閾値以下である場合に、当該入力操作を上記スクロール指示であると判定してもよい。
【００２７】
上記構成によると、通信端末のスクロール部はユーザの入力操作の時間が所定の閾値よりも短い場合に、アルバムページのスクロールを行う。ここで、上記所定の閾値は例えば、ユーザが文字入力など、アルバムページに対し何らかの情報の入力を行う操作にかかる時間よりも小さい値であることが望ましい。これにより、ユーザが文字入力など、アルバムページに対する何らかの入力を行っている場合に誤ってスクロールを開始することを防ぐことができる。
【００２８】
また、本発明に係る通信端末は、上記入力操作の方向を特定する方向特定部を備え、上記スクロール部は、上記方向特定部が特定した上記入力操作の方向に応じた方向に、上記アルバムページをスクロールさせてもよい。
【００２９】
上記構成によると、通信端末は、ユーザの所望の方向（例えば縦２方向と横２方向）にアルバムページをスクロールさせることができる。これにより、通信端末は、ユーザにより簡便にアルバム画像を閲覧させることができる。
【００３０】
また、本発明に係る通信端末において、上記指示判定部は、上記入力操作から上記アルバムページのスクロールの停止を指示するスクロール停止指示を受け付けたか否かを判定し、上記スクロール部は、上記指示判定部が上記スクロール停止指示を受け付けたと判定した場合に、上記アルバムページのスクロールを停止させてもよい。
【００３１】
上記構成によると、通信端末は、ユーザの入力操作に応じてスクロールを停止させることができる。したがって、通信端末は、ユーザが所望する位置でスクロールを停止させることができる。これにより、通信装置は、ユーザにより簡便にアルバム画像を閲覧させることができる。
【００３２】
上記の課題を解決するために、本発明に係るサーバは、上記通信端末と通信するサーバであって、上記送信部から上記アルバム画像の配置を示す情報を受信する情報受信部と、上記情報受信部が受信した上記配置を示す情報を反映させたアルバムページを作成するアルバムページ作成部と、上記アルバムページ作成部が作成した上記アルバムページを上記通信端末に送信するサーバ送信部と、を備えることを特徴としている。
【００３３】
また、上記の課題を解決するために、本発明に係るサーバの制御方法は、上記通信端末と通信するサーバの制御方法であって、上記通信端末から上記アルバム画像の配置を示す情報を受信する情報受信ステップと、上記情報受信ステップにて受信した上記配置を示す情報を反映させたアルバムページを作成するアルバムページ作成ステップと、上記アルバムページ作成ステップにて作成した上記アルバムページを上記通信端末に送信する送信ステップと、を備えることを特徴としている。
【００３４】
上記構成によると、サーバは上記通信端末と同様の効果を奏する。
【００３５】
上述の通信端末またはサーバは、コンピュータによって実現してもよく、この場合には、コンピュータを上記通信端末またはサーバが備える各部として動作させることによって上記通信端末をコンピュータにて実現させる通信端末の制御プログラム、およびそれを記録したコンピュータ読み取り可能な記録媒体も、本発明の範疇に入る。
【発明の効果】
【００３６】
本発明によれば、ユーザの趣向に沿ったウェブページを提供することができるという効果を奏する。
【図面の簡単な説明】
【００３７】
【図１】本発明の第１実施形態に係る管理サーバの要部構成を示すブロック図である。
【図２】本発明の第１実施形態に係る画像管理システムの構成を示す図である。
【図３】本発明の第１実施形態に係る写真シール作成装置の外観の構成例を示す斜視図である。
【図４】本発明の第１実施形態に係る写真シール作成装置の外観を他の角度からみた斜視図である。
【図５】本発明の第１実施形態におけるユーザの移動について説明する図である。
【図６】本発明の第１実施形態に係る写真シール作成装置に備えられる撮影部の構成例を示す図である。
【図７】本発明の第１実施形態に係る写真シール作成装置に備えられる背景部の構成例を示す図である。
【図８】本発明の第１実施形態に係る写真シール作成装置に備えられる編集部の構成例を示す図である。
【図９】本発明の第１実施形態に係る写真シール作成装置に備えられる事後接客部の構成例を示す図である。
【図１０】本発明の第１実施形態に係る写真シール作成装置の内部の構成例を示すブロック図である。
【図１１】本発明の第１実施形態に係る写真シール作成装置に備えられる制御部の詳細な構成例を示す機能ブロック図である。
【図１２】本発明の第１実施形態に係る携帯端末の要部構成を示すブロック図である。
【図１３】本発明の第１実施形態における会員登録処理時に携帯端末の表示部に表示されるウェブページの一例を示す画面遷移図である。
【図１４】本発明の第１実施形態における写真撮影からマイページ表示までの一連の処理の流れの一例を示すシーケンス図である。
【図１５】本発明の第１実施形態における管理サーバへの画像保存処理時に携帯端末の表示部に表示されるウェブページの一例を示す画面遷移図である。
【図１６】本発明の第１実施形態における携帯端末の表示部に表示されるマイページ等の一例を示す図である。
【図１７】本発明の第１実施形態における携帯端末の表示部に表示されるアルバム作成ページ等の一例を示す図である。
【図１８】本発明の第１実施形態におけるサーバが作成したアルバム編集ページおよび画像並び替えページと、これらのページに対するユーザの入力操作を示す図である。
【図１９】上記画像並び替えページにおけるアルバム画像の設定変更の一例として、表示位置の変更処理の流れを示すフローチャートである。
【図２０】上記画像並び替えページに表示されるアルバム画像を所定の条件に応じてソートすることにより当該アルバム画像の表示位置を変更する例を示す図である。
【図２１】上記画像並び替えページにおける上記アルバム画像の設定変更の他の例を示す図である。
【図２２】上記画像並び替えページにおける上記アルバム画像の設定変更のさらに他の例を示す図である。
【図２３】本発明の第２実施形態に係るサーバが作成したアルバム詳細ページをスクロールさせる場合の、ユーザの操作および上記アルバム詳細ページの携帯端末における表示の変化について示した図である。
【図２４】上記スクロールに係る処理の流れを示すフローチャートである。
【図２５】本発明の第１実施形態における携帯端末の表示部に表示されるタイムラインページ等の一例を示す図である。
【図２６】本発明の第１実施形態における管理サーバの会員データベースに保存されているユーザ管理情報の一例を示す図である。
【図２７】本発明の第１実施形態における管理サーバの画像保存データベースに保存されている画像管理情報の一例を示す図である。
【図２８】本発明の第１実施形態における管理サーバの画像保存データベースに保存されているアルバム管理情報の一例を示す図である。
【発明を実施するための形態】
【００３８】
〔実施形態１〕
本発明の第１実施形態について、図１〜図２２および図２５〜２７を参照して以下に説明する。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。さらに、各図面に記載した構成の形状、ならびに、長さ、奥行および幅などの寸法は、実際の形状および寸法を反映させたものではなく、図面の明瞭化と簡略化のために適宜変更している。
【００３９】
（画像管理システム１０）
図２は、本発明の第１実施形態に係る画像管理システム１０の構成を示す図である。図２に示すように、画像管理システム１０は、写真シール作成装置１、携帯端末（通信端末）６、および管理サーバ（管理装置）４を備えている。
【００４０】
画像管理システム１０の概要について、以下に説明する。画像管理システム１０は、ユーザの写真撮影、画像の編集、画像の写真シールとしての印刷、画像提供サイトへの画像の保存、および、保存された画像の閲覧を実現するサービスをユーザに提供する。画像提供サイトは、ユーザが自身の画像および他のユーザの画像を閲覧するためのサイトである。また、画像提供サイトは、ＳＮＳ（Social Networking Service）機能を有し、サイト上でのユーザのコミュニケーションを可能にする。
【００４１】
写真シール作成装置１は、写真撮影、画像編集、および写真シール印刷のサービスを提供するものである。写真シール作成装置１は、ゲームセンターなどの店舗に設置される。以下では、写真シール作成装置１が撮影した撮影画像および当該撮影画像を編集した編集画像等、写真シール作成装置１が生成した画像を生成画像と称する。すなわち、写真シール作成装置１は、生成画像を生成する画像生成装置である。
【００４２】
また、写真シール作成装置１は、ネットワークを介して管理サーバ４と接続しており、生成した生成画像を管理サーバ４に送信することができる。
【００４３】
管理サーバ４は、写真シール作成装置１が生成した生成画像を管理するものであり、上述の画像保存および画像閲覧のサービスを提供する。具体的には、管理サーバ４は、ユーザに生成画像を保存および閲覧させるための画像提供サイトを管理する。
【００４４】
携帯端末６は、ユーザが所持する通信端末である。携帯端末６は、例えば、携帯電話機、スマートフォン、タブレット端末等である。携帯端末６は、無線通信手段または有線通信手段により写真シール作成装置１と通信することができる。また、携帯端末６は、ネットワークを介して管理サーバ４と通信して、画像提供サイトにアクセスすることができる。すなわち、ユーザは、自身が所持する携帯端末６を操作することによって、写真シール作成装置１によって生成された自身の生成画像を画像提供サイトに保存したり、画像提供サイトに保存された生成画像を閲覧したりすることができる。
【００４５】
なお、ユーザは、携帯端末６と異なる通信端末（例えば、デスクトップ型またはノートブック型のＰＣ等）を用いて、画像提供サイトにアクセスすることもできる。
【００４６】
画像提供サイトへの生成画像の保存には、事前の会員登録が必要である。ユーザは、無料会員として自身を画像提供サイトに登録する。無料会員は、会費を支払う必要がないが、画像提供サイトは保存できる生成画像の枚数に制限を受ける。本実施形態では、無料会員は、１回のゲーム（１プレイ）ごとに１枚の生成画像のみを画像提供サイトに保存できる。
【００４７】
ユーザは、自身の会員属性を、無料会員から有料会員に変更することができる。有料会員は、一定の会費を継続的に支払う必要がある代わりに、画像提供サイトに無制限に生成画像を保存できる。本実施形態では、１プレイで生成された生成画像を全て画像提供サイトに保存できる。
【００４８】
なお、有料会員の制度として、一定の会費を継続的に支払うことにより、無制限に生成画像を保存可能な制度ではなく、画像提供サイトに保存した生成画像の枚数に応じて課金する制度を採用してもよい。
【００４９】
画像管理システム１０における写真撮影から画像保存までの流れについて、以下に簡潔に説明する。１人または複数人のユーザは、代金を写真シール作成装置１に支払い、写真撮影および画像編集に関するゲームをプレイする。ユーザはゲーム中に自身を被写体として撮影する。ユーザは、撮影によって生成された撮影画像の中から、編集対象の画像をいくつか選択し、好きなように編集する。また、ユーザは、後で生成画像を画像提供サイトに保存するために、写真シール作成装置１に自身のメールアドレスを入力する。
【００５０】
ゲームの終了後、ユーザは写真シールを手に入れる。一方、写真シール作成装置１は、生成した生成画像に、入力されたユーザのメールアドレスを関連付けて、管理サーバ４に送信する。管理サーバ４は、受信したメールアドレス宛に、受信した生成画像を画像提供サイトに保存することを案内するメールを送信する。ユーザは、自身の携帯端末６においてこのメールを受信する。メールには、生成画像を画像提供サイトに保存するための手順が、記載されている。ユーザは、その手順に従い、生成画像を保存するための操作を携帯端末６に対して行う。この結果、画像提供サイトにおけるユーザ専用の画像記憶領域に、生成画像が保存される。
【００５１】
画像提供サイトへの画像保存後、ユーザは、携帯端末６または所望の他の装置を用いて画像提供サイトにログインして、生成画像を閲覧したり、生成画像を携帯端末６または所望の他の装置にダウンロードしたりすることができる。
【００５２】
（写真シール作成装置の構成）
画像管理システム１０を構成する各装置の構成および機能について、以下に詳細に説明する。まず、写真シール作成装置１の詳細について、図３〜図１１を参照して説明する。図３は、本発明の第１実施形態に係る写真シール作成装置１の外観の構成例を示す斜視図である。この図に示すように、写真シール作成装置１は、主に、撮影ユニット１１、編集部１２、および事後接客部１３を備えている。写真シール作成装置１は、撮影ユニット１１と編集部１２とが接し、かつ、編集部１２と事後接客部１３とが接した状態で設置される。
【００５３】
（撮影ユニット１１）
撮影ユニット１１は、撮影部２１および背景部２２を備えている。撮影部２１と背景部２２とは、所定の距離だけ離れて設置される。撮影部２１と背景部２２の間に形成される空間である撮影空間において、撮影制御が行われる。
【００５４】
撮影部２１は、撮影制御をユーザに行わせる装置である。撮影部２１は、撮影空間に入り、撮影制御を行っているユーザの正面に位置する。撮影空間を正面に望む面を構成する撮影部２１の正面パネル４１には、撮影制御時にユーザによって用いられるタッチパネルモニタなどが設けられる。撮影空間にいるユーザから見て左側の面を左側面、右側の面を右側面とすると、撮影部２１の左側面が側面パネル４２Ａによって構成され、右側面が側面パネル４２Ｂによって構成される。
【００５５】
背景部２２は、正面を向いて撮影制御を行っているユーザの背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図４）から構成される。
【００５６】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００５７】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口も撮影空間の出入り口Ｇ２となる。
【００５８】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えばユーザによって選択された色のカーテンを下ろし、その他のカーテンを巻き取る。
【００５９】
背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けると共に、合成用の背景画像を複数種類用意し、後述する編集制御において、ユーザが所望する背景画像をカーテンの部分に合成することができるようにしてもよい。
【００６０】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００６１】
（編集部１２）
編集部１２は、撮影制御によって得られた撮影画像を編集する処理である編集制御をユーザに行わせる装置である。編集部１２は、一方の側面が撮影部２１の正面パネル４１の背面に接するように撮影ユニット１１に連結して設けられる。編集部１２には、編集制御時にユーザによって用いられるタブレット内蔵モニタなどの構成が設けられる。
【００６２】
図３に示す編集部１２の構成を正面側の構成とすると、２組のユーザが同時に編集することができるように、編集部１２の正面側と背面側には編集制御に用いられる構成がそれぞれ設けられる。
【００６３】
編集部１２の正面側は、床面に対して垂直な面であり、側面パネル４２Ａとほぼ平行な面である面７１と、面７１の上方に形成された斜面７２から構成され、編集制御に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図４）が設けられる。
【００６４】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００６５】
カーテンレール２６には、編集部１２の正面前方の空間と背面前方の空間の内部が外から見えないようにカーテンが取り付けられる。カーテンレール２６に取り付けられたカーテンによって囲まれる編集部１２の正面前方の空間と背面前方の空間が、ユーザが編集制御を行う編集空間となる。
【００６６】
（事後接客部１３）
図４は、写真シール作成装置の外観を他の角度からみた斜視図である。事後接客部１３は事後接客を行い、ユーザに事後接客に対する操作を行わせる装置である。事後接客には、生成画像を管理サーバ４に送信する処理、ミニゲームをユーザに行わせる処理、アンケートに答えさせる処理などが含まれる。
【００６７】
図４に示すように、事後接客部１３は、所定の厚さを有する板状の筐体を有しており、その背面が編集部１２の左側面に接するように編集部１２に連結して設けられる。事後接客部１３の正面には、事後接客に対する操作時にユーザによって用いられるタブレット内蔵モニタ、および、生成画像が印刷されたシール紙が排出される排出口などが設けられる。事後接客部１３の正面前方の空間が、シール紙への印刷が終わるのを待っているユーザが事後接客に対する操作を行う事後接客空間となる。
【００６８】
（ユーザの移動）
写真シール作成ゲームの流れと、それに伴うユーザの移動について図５を参照して説明する。図５は、ユーザの移動について説明する図である。
【００６９】
写真シール作成装置１のユーザは、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラおよびタッチパネルモニタなどを利用して撮影制御を行う。
【００７０】
なお、ユーザの画像の撮影においては、すべての撮影がシール紙に印刷される画像を撮影するものとは限らず、携帯端末６に送信するため（又は、携帯端末６において閲覧可能なように、管理サーバ４に送信するため）にのみ撮影される場合もある。これは、印刷される画像と携帯端末６に送信される画像との間でユーザの嗜好が異なることがあるためであり、ユーザの撮影時において、携帯端末６への送信を意識した撮影をしたいユーザの意向にこたえるものである。
【００７１】
撮影制御を終えたユーザは、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００７２】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動したユーザは編集制御を開始する。編集空間Ａ２−１のユーザと、編集空間Ａ２−２のユーザは同時に編集制御を行うことができる。
【００７３】
編集制御が終了した後、生成画像の中から選択された画像の印刷が開始される。画像の印刷中、編集制御を終えたユーザは、編集空間Ａ２−１で編集制御を行っていた場合には白抜き矢印＃５で示すように編集空間Ａ２−１から事後接客空間Ａ３に移動して事後接客を受け、当該事後接客に対する操作を行う。また、編集制御を終えたユーザは、編集空間Ａ２−２で編集制御を行っていた場合には白抜き矢印＃６で示すように編集空間Ａ２−２から事後接客空間Ａ３に移動し、事後接客空間Ａ３において事後接客を受け、当該事後接客に対する操作を行う。
【００７４】
画像の印刷が終了したとき、ユーザは、事後接客部１３に設けられた排出口からシール紙を受け取り、一連の写真シール作成ゲームを終えることになる。
【００７５】
（各部材の構成）
次に、写真シール作成装置１に備えられる各部材の構成について説明する。
【００７６】
（撮影部２１）
図６は、写真シール作成装置１に備えられる撮影部２１の構成例を示す図である。撮影部２１は、正面パネル４１、側面パネル４２Ａ、および側面パネル４２Ｂが、箱状の形状を有するベース部４３に取り付けられることによって構成される。
【００７７】
正面パネル４１は撮影空間Ａ１で撮影制御を行うユーザの正面に位置し、側面パネル４２Ａと側面パネル４２Ｂは、それぞれ、撮影空間Ａ１で撮影制御を行うユーザの左側、右側に位置する。側面パネル４２Ａの上方には連結部２３Ａが固定され、側面パネル４２Ｂの上方には連結部２３Ｂが固定される。
【００７８】
正面パネル４１のほぼ中央には撮影・表示ユニット８１が設けられる。撮影・表示ユニット８１は、カメラ９１、正面ストロボ９２、およびタッチパネルモニタ９３から構成される。
【００７９】
カメラ９１は、ＣＣＤ（Charge Coupled Device）またはＣＭＯＳ（complementary metal-oxide semiconductor）などの撮像素子によって構成され、撮影空間Ａ１にいるユーザを撮影する。カメラ９１によって取り込まれた動画像は、タッチパネルモニタ９３にリアルタイムで表示される。ユーザによって撮影が指示されたときなどの所定のタイミングでカメラ９１によって取り込まれた画像は画像（静止画像）として保存される。
【００８０】
カメラ９１の下側に設けられたタッチパネルモニタ９３は、ＬＣＤ（Liquid Crystal Display）などのモニタと、それに積層されたタッチパネルによって構成される。タッチパネルモニタ９３は、カメラ９１によって取り込まれた動画像を表示するライブビューモニタとしての機能と、各種のＧＵＩ（Graphical User Interface）画像を表示し、ユーザの選択操作をタッチパネルによって受け付ける機能とを備えている。タッチパネルモニタ９３には、適宜、背景等の画像が合成された後の動画像が表示される。
【００８１】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００８２】
上ストロボ８２は、ユーザを上前方から照射する。左ストロボ８３は、ユーザを左前方から照射し、右ストロボ８４は、ユーザを右前方から照射する。下ストロボ８５は、ユーザを下前方から照射する。
【００８３】
ベース部４３にはユーザの足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。後述するように、各蛍光灯の発光量を調整することによって、または、発光させる蛍光灯の数を調整することによって、撮影空間Ａ１内の明るさが、ユーザが行っている撮影制御の内容に応じて適宜調整される。
【００８４】
足元ストロボ８６の右側には、ユーザがお金を投入する硬貨投入返却口８７が設けられる。
【００８５】
下ストロボ８５を挟んでベース部４３の上面の左右に形成されるスペース４３Ａおよび４３Ｂは、撮影制御を行うユーザが手荷物等を置くための荷物置場として用いられる。正面パネル４１の例えば天井付近には、撮影制御の案内音声、ＢＧＭ（Back Ground Music）、効果音等の音を出力するスピーカも設けられる。
【００８６】
（背景部２２）
図７は、写真シール作成装置１に備えられる背景部２２の構成例を示す図である。上述したように、背面パネル５１の上方には背景カーテンユニット２５が設けられる。背景カーテンユニット２５のほぼ中央には、撮影空間Ａ１内で撮影制御を行っているユーザを後方中央から照射する背面中央ストロボ１０１が取り付けられる。
【００８７】
背面パネル５１の上方であって、出入り口Ｇ１側の位置には、撮影空間Ａ１内で撮影制御を行っているユーザを左後方から照射する背面左ストロボ１０２が取り付けられる。また、背面パネル５１の上方であって、出入り口Ｇ２側の位置には、撮影空間Ａ１内で撮影制御を行っているユーザを右後方から照射する背面右ストロボ１０３が取り付けられる。
【００８８】
（編集部１２）
図８は、写真シール作成装置１に備えられる編集部１２の構成例を示す図である。この図に示すように、編集部１２において、斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００８９】
タブレット内蔵モニタ１３１は、タッチペン１３２Ａ及び１３２Ｂを用いて操作入力が可能なタブレットがＬＣＤなどのモニタに重畳して設けられることによって構成される。タブレット内蔵モニタ１３１には、例えば、編集対象画像として選択された画像の編集に用いられる画面である編集画面が表示される。２人で同時に編集作業を行う場合、タッチペン１３２Ａは一方のユーザによって用いられ、タッチペン１３２Ｂは他方のユーザによって用いられる。
【００９０】
ここで、ユーザは、編集画面上で、落書きをする感覚で編集をする。編集の種類は、タッチペンで種々の線種および色の落書きをおこなうペン入力、ハートもしくは花びら等の種々の形状または種々のメッセージのスタンプ入力、並びに、背景などに模様を入れる背景操作、名前を入力してスタンプ入力する名前スタンプ機能がある。さらに、化粧のシミュレーションをするコスメ機能、目および顔輪郭などの大きさ形状を微調整する顔微調整機能、並びに、記念日や日付を入れる日付スタンプなどの機能等がある。
【００９１】
なお、編集部１２において行われる画像の編集は、すべてが印刷される画像に対する編集であるとは限らず、ユーザが携帯端末６への送信のみを想定している画像（つまり、印刷されない画像）に対する編集である場合もある。これは、印刷される画像と携帯端末６へ送信されてｗｅｂ上で利用される画像との間で、ユーザの嗜好に違いがあり、例えばブログなどに利用する画像などに対して、印刷される画像に対する編集とは異なる編集をしたいというユーザの意向にこたえるためのものである。
【００９２】
（事後接客部１３）
編集部１２の左側には事後接客部１３が設けられる。図９は、写真シール作成装置１に備えられる事後接客部１３の構成例を示す図である。
【００９３】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがＬＣＤなどのモニタに重畳して設けられることによって構成される。タブレット内蔵モニタ１６１には、ミニゲームなどの事後接客の工程において用いられる画面が表示される。
【００９４】
タブレット内蔵モニタ１６１の下には非接触型ＩＣリーダ／ライタ１６３が設けられ、非接触型ＩＣリーダ／ライタ１６３の下にはシール紙排出口１６４が設けられる。シール紙排出口１６４の下にはスピーカ１６５が設けられる。
【００９５】
非接触型ＩＣリーダ／ライタ１６３は、近接された非接触型ＩＣと通信を行い、非接触型ＩＣからのデータの読み出しおよび非接触型ＩＣに対するデータの書き込みを行う。
【００９６】
シール紙排出口１６４には、編集空間Ａ２−１のユーザが編集制御を行うことによって作成した画像が印刷されたシール紙、または、編集空間Ａ２−２のユーザが編集制御を行うことによって作成した画像が印刷されたシール紙が排出される。編集部１２の内部にはプリンタが設けられており、画像の印刷がそのプリンタによって行われる。
【００９７】
スピーカ１６５は、事後接客時の案内音声、ＢＧＭ、効果音等の音を出力する。
【００９８】
（写真シール作成装置１の内部構成）
次に、写真シール作成装置１の内部構成について説明する。図１０は、写真シール作成装置１の内部の構成例を示すブロック図である。上述した構成と同じ構成には同じ符号を付す。重複する説明については適宜省略する。
【００９９】
制御部２０１は、ＣＰＵ（Central Processing Unit）などから構成され、ＲＯＭ（Read Only Memory）２０６または記憶部２０２に記憶されているプログラムを実行し、写真シール作成装置１の全体の動作を制御する。制御部２０１には、記憶部２０２、通信部２０３、ドライブ２０４、ＲＯＭ２０６、ＲＡＭ（Random Access Memory）２０７が接続される。制御部２０１には、撮影部２１、編集部１２、事後接客部１３、および印刷部２１１の各構成も接続される。
【０１００】
記憶部２０２は、ハードディスクまたはフラッシュメモリなどの不揮発性の記憶媒体からなり、制御部２０１から供給された各種の設定情報を記憶する。記憶部２０２に記憶されている情報は制御部２０１によって適宜読み出される。
【０１０１】
通信部２０３はインターネットなどのネットワークのインタフェースであり、制御部２０１による制御に従って外部の装置と通信を行う。
【０１０２】
ドライブ２０４には、光ディスクまたは半導体メモリなどよりなるリムーバブルメディア２０５が適宜装着される。ドライブ２０４によってリムーバブルメディア２０５から読み出されたコンピュータプログラムおよびデータは、制御部２０１に供給され、記憶部２０２に記憶されたり、インストールされたりする。
【０１０３】
ＲＯＭ２０６には、制御部２０１において実行されるプログラムおよびデータが記憶されている。ＲＡＭ２０７は、制御部２０１が処理するデータおよびプログラムを一時的に記憶する。
【０１０４】
撮影部２１は、撮影空間Ａ１におけるユーザの撮影制御に関する処理を行う。撮影部２１は、硬貨処理部２２１、背景制御部２２２、照明制御部２２３、カメラ９１、タッチパネルモニタ９３、およびスピーカ２２４から構成される。
【０１０５】
硬貨処理部２２１は、硬貨投入返却口８７に対する硬貨の投入を検出する。硬貨処理部２２１は、例えば３００円などの所定の金額分の硬貨が投入されたことを検出した場合、そのことを表す起動信号を制御部２０１に出力する。
【０１０６】
背景制御部２２２は、制御部２０１より供給される背景制御信号に従って背景カーテンユニット２５に収納されている背景カーテンの上げ下ろしを行う。背景カーテンの選択がユーザによって手動で行われるようにしてもよい。
【０１０７】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６と、背景部２２に設けられる背面中央ストロボ１０１、背面左ストロボ１０２、背面右ストロボ１０３が設けられる。各ストロボの内部には蛍光灯も設けられる。
【０１０８】
また、照明制御部２２３は、各ストロボの内部に設けられる蛍光灯の発光量を調整することによって、または、発光させる蛍光灯の数を調整することによって、ユーザが行っている撮影制御の段階に応じて撮影空間Ａ１内の明るさを調整する。
【０１０９】
カメラ９１は、制御部２０１による制御に従って撮影を行い、撮影によって得られた画像（撮影画像）を制御部２０１に出力する。
【０１１０】
編集部１２Ａは、編集空間Ａ２−１におけるユーザの編集制御に関する処理を行う。編集部１２Ａは、編集部１２の正面側に設けられるタブレット内蔵モニタ１３１、タッチペン１３２Ａ、１３２Ｂ、およびスピーカ２３１から構成される。編集部１２Ｂも編集部１２Ａと同一の構成を有しており、編集空間Ａ２−２におけるユーザの編集制御に関する処理を行う。
【０１１１】
タブレット内蔵モニタ１３１は、制御部２０１による制御に従って編集画面を表示し、編集画面に対するユーザの操作を検出する。ユーザの操作の内容を表す信号は制御部２０１に供給され、編集対象の画像の編集が行われる。
【０１１２】
事後接客部１３は、事後接客空間Ａ３における事後接客に関する処理を行う。事後接客部１３は、タブレット内蔵モニタ１６１、タッチペン１６２Ａ、１６２Ｂ、非接触型ＩＣリーダ／ライタ１６３、およびスピーカ１６５から構成される。
【０１１３】
印刷部２１１は、印刷制御を行う構成であるプリンタ２４１、およびシール紙ユニット２４２から構成される。プリンタ２４１は、画像、またはユーザによる編集制御によって得られた編集済みの画像を、プリンタ２４１に装着されたシール紙ユニット２４２に収納されているシール紙に印刷し、シール紙排出口１６４に排出する。一点鎖線で囲んで示す事後接客部１３と印刷部２１１が、事後接客空間Ａ３にいるユーザを相手とした事後接客に関する処理を行う構成となる。
【０１１４】
また、印刷部２１１は、印刷制御に係る処理において、シール紙への撮影画像（又は編集画像）の印刷に加え、欄外（シール紙の端部など）に、管理サーバ４へ送信した生成画像を取得するためのＵＲＬ（Uniform Resource Locater）、及び、シールＩＤ（画像取得用ＩＤ）などを印刷してもよい。シールＩＤとは、写真シール作成装置１において１プレイで生成された１又は複数の生成画像を一義的に特定するための識別子であり、ユーザが１プレイにおいて生成された画像を取得するための識別子である。ユーザは、生成画像を取得するためのＵＲＬにアクセスし、シールＩＤを入力することにより、写真シール作成装置１において１プレイで生成された生成画像を取得するためのウェブページ（画像取得用ページ）を携帯端末６に表示させることができる。
【０１１５】
これは、例えば、事後接客部１３などにおいてユーザからメールアドレスの入力を受け付ける際に、タイムアウトやミス入力により正しいアドレスを受け付けることができず、生成画像を取得するためのＵＲＬなどの情報をユーザに送信することができないなど場合に、シール紙に印刷されているＵＲＬにアクセスしてシールＩＤを入力することによりユーザが生成画像を取得することができるようにするためである。
【０１１６】
なお、印刷部２１１は、生成画像を取得するための情報として、ＵＲＬではなく、例えば、所定のメールアドレス又はＱＲコード（登録商標）などを印刷してもよい。所定のメールアドレスが印刷されている場合には、ユーザは、当該所定のメールアドレスに空メールを送信することにより、生成画像を取得するためのＵＲＬが記載されたメールを管理サーバ４から受信することができる。また、シール紙にＱＲコードが印刷されている場合には、ユーザは、携帯端末６を用いてＱＲコードの示すウェブページへアクセスすることにより、画像取得用ページへ直接アクセスすることもできる。
【０１１７】
（制御部の構成）
図１１は、写真シール作成装置１に備えられる制御部２０１の詳細な構成例を示す機能ブロック図である。この図に示すように、制御部２０１は、通信制御部３１１、撮影制御部３１２、編集制御部３１３、印刷制御部３１４、および事後接客制御部３１５を備えている。
【０１１８】
通信制御部３１１は、通信部２０３による外部の装置との通信を制御する。通信制御部３１１は、写真シール作成装置１が１プレイにおいて生成した１または複数の生成画像に、画像ＩＤをそれぞれ対応付けて管理サーバ４に送信する。なお、画像ＩＤとは、生成画像を一義的に特定するための情報である。また、通信制御部３１１は、写真シール作成装置１が１プレイにおいて生成した１または複数の生成画像に、さらに、シールＩＤ等のその他の情報を対応付けて管理サーバ４に送信してもよい。また、通信制御部３１１は、写真シール作成装置１が１プレイにおいて生成した１または複数の生成画像全てを送信するのではなく、ユーザが指定した生成画像のみを管理サーバ４に送信してもよい。
【０１１９】
本実施形態では、シールＩＤを撮影日時および機器ＩＤから成る情報とし、画像ＩＤを、撮影日時、機器ＩＤおよび１プレイで生成された生成画像を識別するための連番から成る情報とする。また、本実施形態では、通信制御部３１１は、写真シール作成装置１が１プレイにおいて生成した１または複数の生成画像に、画像ＩＤおよびシールＩＤを対応付けて管理サーバ４に送信する。すなわち、通信制御部３１１は、当該生成画像に、撮影日時、機器ＩＤおよび連番を対応付けて送信する。
【０１２０】
撮影制御部３１２は、撮影部２１による、写真シール作成ゲームを開始する際に投入される代金に関する処理と、ユーザの撮影制御に従いユーザグループを撮影する等、写真シール作成ゲームにおけるユーザの撮影制御に関する処理とを制御する。撮影制御部３１２は、画像ＩＤおよびシールＩＤを生成することもできる。
【０１２１】
編集制御部３１３は、編集部１２Ａおよび編集部１２Ｂによる画像に対する落書き編集等、写真シール作成ゲームにおけるユーザの編集制御に関する処理を制御する。
【０１２２】
印刷制御部３１４は、印刷部２１１によるシール紙の印刷等、写真シール作成ゲームにおけるユーザの印刷制御に関する処理を制御する。
【０１２３】
事後接客制御部３１５は、事後接客部１３による、編集作業を終了したユーザグループを接客する処理等、写真シール作成ゲームにおける事後接客に関する処理を制御する。
【０１２４】
（管理サーバ４）
次に、管理サーバ４の詳細について、図１を参照して説明する。図１は、本発明の実施形態１に係る管理サーバ４の要部構成を示すブロック図である。この図に示すように、管理サーバ４は、主に、制御部４０１、記憶部４０２、および通信部４０３を備えている。制御部４０１は、管理サーバ４に備えられる各部材を統括制御する。記憶部４０２は、管理サーバ４において使用される各種データを記憶する。通信部４０３は、画像管理システム１０を構成する他の装置と通信する。
【０１２５】
（制御部４０１の詳細）
図１に示すように、制御部４０１は、通信制御部４１１（情報受信部、サーバ送信部）、メール作成部４１２、ウェブページ作成部（アルバムページ作成部）４１３、画像管理部４１４およびユーザ管理部４１５を備えている。
【０１２６】
（通信制御部４１１）
通信制御部４１１は、通信部４０３による通信を制御する。
【０１２７】
（メール作成部４１２）
メール作成部４１２は、写真シール作成装置１で遊んだユーザのメールアドレス宛に送信されるメールを作成する。本実施形態では、メール作成部４１２は、メールデータベース４２１に格納されているデータを用いて、通信制御部４１１から入力されたメールアドレス宛に送信される、画像の保存を案内するメールを作成し、通信制御部４１１に出力する。
【０１２８】
（ウェブページ作成部４１３）
ウェブページ作成部４１３は、携帯端末６に表示されるウェブページを作成する。本実施形態では、ウェブページ作成部４１３は、会員データベース４２２、ウェブページデータベース４２３および画像データベース４２４に格納されているデータを用いて、携帯端末６から受信したアクセス要求に応じたウェブページを作成し、通信制御部４１１に出力する。詳細は後述するが、ウェブページ作成部４１３は、ユーザの会員種別に応じたウェブページを作成する。
【０１２９】
具体的には、ウェブページ作成部４１３は、画像提供サイトに会員登録するための会員登録ページ、画像提供サイトに生成画像を保存するための画像保存ページ、各ユーザ固有のページであるマイページ、ユーザ自身のアルバムおよび特定の他のユーザの公開アルバムが時系列で掲載されているタイムラインページ等の、画像提供サイトを構成するウェブページを作成する。
【０１３０】
また、本願に記載の「ページ」は、例えば、ウェブページのように、管理サーバ４が携帯端末６等の通信端末に送信して表示するためのデータを意味する。上記ページには、通常、テキストデータおよび画像データが含まれており、さらに、音声データおよび動画データが含まれていてもよい。
【０１３１】
（画像管理部４１４）
画像管理部４１４は、写真シール作成装置１が生成した生成画像を管理する。本実施形態では、画像管理部４１４は、写真シール作成装置１から受信した生成画像のうち、ユーザによって指定された生成画像をユーザに対応付けて画像データベース４２４に保存する。
【０１３２】
画像管理部４１４は、ユーザによって指定された生成画像を保存するとき、当該生成画像を管理するための画像管理情報を生成して、生成した画像管理情報を生成画像に対応付けて保存する。また、画像管理部４１４は、携帯端末６から受信したユーザの操作指示に基づいて、画像管理情報を更新する。
【０１３３】
また、後述のように、ユーザは、画像提供サイト上において、自身が所有する生成画像を、１または複数の生成画像を有するアルバムとして分類することができる。画像管理部４１４は、各ユーザのアルバムも管理し、アルバムを管理するためのアルバム管理情報をユーザ毎に生成する。画像管理部４１４は、生成したアルバム管理情報をユーザに対応付けて画像データベース４２４に保存する。
【０１３４】
（ユーザ管理部４１５）
ユーザ管理部４１５は、画像提供サイトの会員であるユーザを管理する。ユーザ管理部４１５は、ユーザを管理するためのユーザ管理情報を生成し、生成したユーザ管理情報を会員データベース４２２に保存する。なお、ユーザ管理部４１５は、非会員のユーザも管理してもよく、非会員のユーザのユーザ管理情報を生成してもよい。
【０１３５】
（記憶部４０２の詳細）
図１に示すように、記憶部４０２は、メールデータベース４２１、会員データベース４２２、ウェブページデータベース４２３、および画像データベース４２４を有している。
【０１３６】
（メールデータベース４２１）
メールデータベース４２１は、ユーザに送信するメールを作成するための各種データを格納している。
【０１３７】
（会員データベース４２２）
会員データベース４２２は、画像提供サイトの会員であるユーザに関する各種情報を格納している。本実施形態では、会員データベース４２２には、上記ユーザ管理情報がユーザ毎に格納されている。
【０１３８】
ユーザ管理情報は、例えば、図２６に示すような情報であってよい。図２６に示すユーザ管理情報は、「会員ＩＤ」、「ユーザ名」、「ユーザ画像」、「フォロー」、「フォロワー」、「評価画像」、「メールアドレス」、「生年月日」、「住所」、「会員属性」、「入会日」および「端末ＩＤ」を含む。
【０１３９】
「会員ＩＤ」は、会員であるユーザを一義的に識別するためのＩＤである。「ユーザ名」は、ユーザの名称である。「ユーザ画像」は、後述するマイページ等に掲載されるユーザを示す画像であり、ユーザ画像を示すＩＤが記述される。「フォロー」は、ユーザがフォローした他のユーザであり、フォローした他のユーザの会員ＩＤが記述される。「フォロワー」は、ユーザをフォローしている他のユーザであり、当該他のユーザの会員ＩＤが記述される。「評価画像」は、ユーザが評価した画像であり、当該画像の画像ＩＤが記述される。「メールアドレス」は、ユーザのメールアドレスである。「生年月日」は、ユーザの生年月日である。「住所」は、ユーザの住所である。「会員属性」は、ユーザの会員属性を示し、「有料」または「無料」が記述される。「入会日」は、ユーザが画像提供サイトに会員登録した日である。「端末ＩＤ」は、ユーザが所持する携帯端末６を示し、当該携帯端末６を一意に識別するためのＩＤが記述される。
【０１４０】
ここで、会員ＩＤおよびメールアドレス等のユーザを特定するための情報をユーザ特定情報と称する。
【０１４１】
また、「フォロー」とは、ユーザ間の一方的な関係であり、ユーザは、フォローしている他のユーザの所有するアルバムのうち、公開されているアルバム（公開アルバム）内の生成画像を閲覧することができる。また、本実施形態では、ユーザ自身のタイムラインページ（詳細は後述）に、当該ユーザがフォローしている他のユーザの公開アルバムが掲載される。なお、ユーザが他のユーザをフォローする場合、原則、他のユーザの承認が必要である。すなわち、ユーザが他のユーザにフォローの申請を行い、他のユーザが当該申請を承認することにより、ユーザが他のユーザをフォローする関係が成立する。
【０１４２】
（ウェブページデータベース４２３）
ウェブページデータベース４２３は、携帯端末６に表示される画像提供サイトのウェブページを作成するための各種データを格納している。
【０１４３】
具体的には、ウェブページデータベース４２３は、タイムラインページに掲載する生成画像の枚数およびタイムラインページに掲載する生成画像の形状と、タイムラインページにおける各生成画像の掲載位置である配置パターンとが対応付けられた配置パターン情報を格納している。また、配置パターン情報の示す配置パターンにおいて、各生成画像の掲載位置と、各生成画像のアルバム内の表示順序とが対応付けられている。
【０１４４】
（画像データベース４２４）
画像データベース４２４は、写真シール作成装置１によって生成された生成画像のうち、画像提供サイトに保存するようにユーザによって指示された生成画像を格納している。画像データベース４２４には、生成画像が、会員データベース４２２に会員として登録されているユーザごとに区別されて格納されている。
【０１４５】
また、画像データベース４２４には、上記画像管理情報および上記アルバム管理情報もユーザ毎に格納されている。画像管理情報は、例えば、図２７に示すような情報であってよい。図２７に示す画像管理情報は、「画像ＩＤ」、「保存日時」、「評価ユーザ」および「コメント」を含む。
【０１４６】
「画像ＩＤ」は、生成画像を一義的に識別するためのＩＤであり、「撮影日時」、「機種ＩＤ」および「連番」から構成される。「撮影日時」は、写真シール作成装置１が生成画像を撮影した日時である。「機種ＩＤ」は、生成画像を生成した写真シール作成装置１の機種を一義的に識別するためのＩＤである。「連番」は、写真シール作成装置１において１プレイで生成された生成画像を識別するための番号である。
【０１４７】
「保存日時」は、生成画像が画像提供サイトに保存された日時である。「評価ユーザ」は、生成画像に対して評価をしているユーザを示し、当該ユーザの会員ＩＤが記述される。
【０１４８】
「コメント」は、生成画像に対して付与されたコメントに関する情報であり、「内容」、「ユーザ」、および「日時」を含む。「内容」は、コメントの内容を示す。「ユーザ」は、コメントを付与したユーザであり、当該ユーザの会員ＩＤが記述される。「日時」は、コメントが付与された日時である。
【０１４９】
また、アルバム管理情報は、例えば、図２８に示すような情報であってよい。図２８に示すアルバム管理情報は、「アルバム」および「画像」を含む。「アルバム」は、アルバムに関する情報であり、「アルバムＩＤ」、「アルバム名」、「カバー画像」、「説明文」、「作成日時」、「更新日時」、「表示順序」および「公開設定」を含む。
【０１５０】
「アルバムＩＤ」は、アルバムを一義的に識別するためのＩＤである。「アルバム名」は、アルバムの名称である。「カバー画像」は、アルバムのカバー画像（詳細は後述）である。「説明文」は、アルバムの説明文である。「作成日時」は、アルバムが作成された日時である。「更新日時」は、アルバムが更新された日時である。「表示順序」は、後述のマイページにおけるアルバムの表示順序を示す。「公開設定」は、アルバムが公開であるか非公開であるかを示す。
【０１５１】
また、「画像」は、アルバムに含まれる生成画像（アルバム画像）に関する情報であり、「画像ＩＤ」および「表示順序」を含む。「画像ＩＤ」は、アルバムに含まれる生成画像を示し、アルバムに含まれる生成画像の画像ＩＤが記述される。「表示順序」は、アルバム内における生成画像の表示順序を示す。さらに、「画像」は、アルバム画像の表示サイズ、表示角度、他のアルバム画像との重畳関係、当該アルバム画像のうち表示する領域（表示領域）などの情報を含んでいてもよい。これらの情報については、後で詳述する。
【０１５２】
なお、「アルバムＩＤ」が「００１」のアルバムは、デフォルトで設定されるアルバムであるため、「作成日時」が記述されていない。また、「アルバムＩＤ」が「００１」のアルバムは、「アルバム」の「表示順序」が「０」である。これは、当該アルバムが常に先頭に表示されることを意味する。
【０１５３】
また、「公開設定」において、フォロワー全員に公開するのではなく、特定のユーザにのみ公開する場合、その特定のユーザの会員ＩＤが記述されてもよい。
【０１５４】
さらに、アルバム管理情報は、当該アルバムの背景画像を示す情報、および当該アルバムに付されたスタンプを特定する情報を含んでいてもよい。これらの情報については、後で詳述する。
【０１５５】
図示はしないが、記憶部４０２は、写真シール作成装置１から受信した生成画像などのデータを一時的に保存する一時保存データベースも有している。
【０１５６】
（通信部４０３の詳細）
本実施形態では、写真シール作成装置１および携帯端末６が、通信部４０３の通信相手である。通信部４０３は、通信制御部４１１の制御を受けることによって、他の装置からデータを受信したり、他の装置にデータを送信したりする。
【０１５７】
（携帯端末６）
図１２は、本発明の実施形態１に係る携帯端末６の要部構成を示すブロック図である。この図に示すように、携帯端末６は、主に、制御部６０１、記憶部６０２、通信部６０３、入力部６０４、および表示部６０５を備えている。制御部６０１は、携帯端末６に備えられる各部材を統括制御する。記憶部６０２は、携帯端末６において使用される各種データを記憶する。携帯端末６は、画像管理システム１０を構成する他の装置と通信する。入力部６０４は、タッチパネルなどの、ユーザが携帯端末６に情報を入力するための装置である。表示部６０５は、液晶表示装置などの、情報を表示するための装置である。
【０１５８】
（制御部６０１の詳細）
図１２に示すように、制御部６０１（ソートページ作成指示部）は、通信制御部６１１（送信部）、入力制御部６１２（指示判定部、選択画像特定部、方向特定部、変更画像特定部）、および表示制御部６１３（スクロール部）を備えている。
【０１５９】
通信制御部６１１は、通信部６０３による通信を制御する。入力制御部６１２は、入力部６０４における情報入力を制御する。表示制御部６１３は、表示部６０５における情報表示を制御する。たとえば、通信制御部６１１から入力されたウェブページを表示制御部６１３が表示部６０５に出力することによって、当該ウェブページを表示部６０５に表示させることができる。
【０１６０】
（会員登録処理）
画像管理システム１０では、画像提供サイトに会員登録したユーザが、生成画像を画像提供サイトに保存することができる。ユーザは、所定の手順に従い自身を画像提供サイトに無料会員として登録する。その手順について、図１３を参照して以下に説明する。図１３は、会員登録処理時に携帯端末６の表示部６０５に表示される会員登録ページの一例を示す画面遷移図である。
【０１６１】
ユーザは、画像提供サイトに会員登録するために、携帯端末６を用いて画像提供サイトにアクセスする。この結果、図１３の（ａ）に示すような画像提供サイトのトップページ１００１が、携帯端末６の表示部６０５に表示される。トップページ１００１は、会員ログイン処理を進めるためのリンク画像１００２、および無料会員登録処理を進めるためのリンク画像１００３を少なくとも含む。
【０１６２】
ユーザは、携帯端末６の入力部６０４を操作することによって、無料会員登録を進めるためのリンク画像１００３を選択する。この結果、携帯端末６は、管理サーバ４と通信し、結果として、図１３の（ｂ）に示すような、無料会員登録用のウェブページ１０１１を表示部６０５に表示する。
【０１６３】
ウェブページ１０１１は、無料会員登録されるユーザを特定する情報（ユーザ特定情報）を入力するための入力フォーム１０１２、および、入力されたユーザ特定情報を管理サーバ４に送信するためのリンク画像１０１３を少なくとも含む。ユーザは、携帯端末６の入力部６０４を操作することによって、ユーザの会員ＩＤ、パスワード、およびメールアドレスなどの各種の個人情報を、ユーザ特定情報として入力フォーム１０１２に入力する。ユーザは、ユーザ特定情報の入力完了後、リンク画像１０１３を選択する。これにより携帯端末６は、ユーザ特定情報を管理サーバ４に送信すると共に、ユーザの無料会員登録を管理サーバ４に要求する。
【０１６４】
管理サーバ４の通信制御部４１１は、携帯端末６から送信されたユーザ特定情報を通信部４０３を通じて受信する。通信制御部４１１は、受信したユーザ特定情報をメール作成部４１２に出力すると共に、会員登録用メールの作成をメール作成部４１２に指示する。この指示を受けて、メール作成部４１２は、図１３の（ｃ）に示すような会員登録用メール１０２１を作成する。会員登録用メール１０２１は、受信したユーザ特定情報に含まれるメールアドレス宛のメールであり、無料会員登録の完了を示すウェブページへのＵＲＬ１０２２を含んでいる。メール作成部４１２は、作成した会員登録用メール１０２１を通信制御部４１１に出力する。通信制御部４１１は、入力された会員登録用メール１０２１を、通信部４０３を介してユーザのメールアドレス宛に送信する。
【０１６５】
携帯端末６は、送信された会員登録用メール１０２１を受信し、表示部６０５に表示する。ユーザは、表示された会員登録用メール１０２１を確認し、ＵＲＬ１０２２を選択する。これにより携帯端末６は、ＵＲＬ１０２２によって特定されるウェブページを、管理サーバ４に要求する。
【０１６６】
この要求を受けて、管理サーバ４は、無料会員登録を完了させる。具体的には、管理サーバ４が、会員データベース４２２にユーザ用のアカウント領域（会員固有のデータを保存する記憶領域）を作成し、当該アカウント領域に、ユーザ特定情報を保存する。このとき、ユーザが無料会員であることを表す情報を、アカウント領域に追加する。最後に、管理サーバ４は、無料会員登録が完了したことを示すウェブページを作成し、携帯端末６に送信する。
【０１６７】
なお、ユーザは、無料会員の登録後、会員ＩＤ及びパスワードを入力することにより画像提供サイトにログインし、所定の手続きを踏むことによって、自身を有料会員として画像提供サイトに登録することができる。この登録完了後、ユーザのアカウント領域には、ユーザが有料会員であることを表す情報が追加される。
【０１６８】
（サービスの流れ）
次に、画像管理システム１０によって提供されるサービスの流れの詳細について、図１４および図１５を参照して以下に説明する。図１４は、画像管理システム１０における写真撮影からマイページ表示までの一連の処理の流れの一例を示すシーケンス図である。
【０１６９】
（写真撮影）
図１４に示すように、ユーザは、写真シール作成装置１においてゲームのプレイを開始する（ステップＳ１）。具体的には、ユーザは、写真シール作成装置１の正面パネル４１の前に立ち、ゲームのプレイに必要な料金の硬貨を、硬貨投入返却口８７に投入する。撮影制御部３１２は、所定の金額分の硬貨が投入されたか否かを、硬貨処理部２２１から供給される信号に基づいて判定する。
【０１７０】
投入されたと判定した場合、撮影制御部３１２は、撮影部２１を制御し、カメラ９１に取り込まれた被写体の動画像をタッチパネルモニタ９３にライブビュー表示させ、ユーザによる撮影制御に従って、撮影空間Ａ１にいるユーザを被写体として撮影する（ステップＳ２）。この撮影制御は撮影処理時間内に複数回行われる。
【０１７１】
なお、撮影制御における処理として、シール紙への印刷用の画像の撮影ではなく、携帯端末６への送信用の画像の撮影として、所定の回数の撮影を行うこともある。この場合には、携帯端末６への送信用の画像に適した画像として、合成用画像をクロマキ合成した画像、及び、色フィルターによるフィルタリング処理などの画像処理を施した画像を、撮影時に作成することもある。
【０１７２】
写真撮影の終了後、撮影制御部３１２は、撮影空間Ａ１にいるユーザに対して、編集空間Ａ２−１または編集空間Ａ２−２への移動を案内する。この案内は、案内画面を撮影部２１のタッチパネルモニタ９３に表示させることによって、または、音声案内をスピーカ２２４から出力させることによって、行われる。
【０１７３】
（画像編集）
案内の終了後、編集制御部３１３は、編集空間Ａ２−１と編集空間Ａ２−２のうち、撮影制御を終えたユーザの移動先とした方の編集空間に対応する編集部１２を制御することによって、編集部１２に画像を編集させる（ステップＳ３）。具体的には、編集制御部３１３は、編集対象画像として選択または取得された画像に合成するための合成用画像をユーザに選択させ、選択された合成用画像を画像に合成させ、得られた合成画像を、ユーザによる編集操作に従って編集する。また、携帯端末６への送信用の画像に対する編集として、例えば、画像を所定のサイズにトリミングする処理、色フィルターによるフィルタリング処理、及び、複数の画像を一つの画像として仕上げるコラージュ合成処理などの処理を行うこともできる。
【０１７４】
編集の終了後、編集制御部３１３は、編集空間Ａ２−１または編集空間Ａ２−２において編集制御を終えたユーザに、事後接客空間Ａ３への移動を案内する。この案内は、案内画面をタブレット内蔵モニタ１３１に表示させることによって、または、案内音声をスピーカ２３１から出力させることによって、行われる。
【０１７５】
（写真シール印刷）
案内の終了後、印刷制御部３１４は、ユーザによって選択された画像をプリンタ２４１に出力してシール紙に印刷させる（ステップＳ４）。印刷が終了すると、事後接客制御部３１５は、印刷が終了した旨をタブレット内蔵モニタ１６１に表示させ、プリンタ２４１は、管理サーバ４及び写真シール作成装置１から同じ手順で生成画像を取得可能なように、写真シール作成装置１において作成されたシールＩＤおよび、画像取得情報（画像取得サイトのＵＲＬ、または、取得のためのメールアドレスなど）が欄外に印刷され、また、所定の生成画像が中央部に印刷されたシール紙をシール紙排出口１６４に排出する。
【０１７６】
なお、写真シール作成装置１は、管理サーバ４が画像ＩＤおよびシールＩＤの作成に使用するアルゴリズムと同じアルゴリズムを用いて、通信によらない付帯情報で画像ＩＤおよびシールＩＤを作成してもよい。この場合、写真シール作成装置１は、管理サーバ４が画像ＩＤおよびシールＩＤを作成することなく、画像ＩＤおよびシールＩＤを得ることができ、かつ、管理サーバ４は、写真シール作成装置１が作成した画像ＩＤおよびシールＩＤを適切に認識して、対応する一時保管データベースに保存された画像を特定できる。
【０１７７】
（事後接客）
印刷中、事後接客制御部３１５は、事後接客部１３を制御し、印刷終了待機中のユーザに対する事後接客に関する処理を制御する（ステップＳ５）。具体的には、事後接客制御部３１５は、事後接客部１３による事後接客に関する処理として、写真シール作成ゲームにおいて生成画像を管理サーバ４に送信するための処理を制御する。その際、事後接客制御部３１５は、ゲームをプレイしたユーザのメールアドレスを入力するためのメールアドレスの入力画面をタブレット内蔵モニタ１６１に表示させる。ユーザは、タッチペン１６２Ａまたはタッチペン１６２Ｂを用いることによって、現在用いているメールアドレスを入力する。なお、ユーザが指定した生成画像のみを管理サーバ４に送信する場合、事後接客制御部３１５は、送信する生成画像の選択画面もタブレット内蔵モニタ１６１に表示させる。
【０１７８】
（画像送信）
通信制御部３１１は、入力されたメールアドレスおよび写真シール作成装置１が１プレイで生成した１または複数の生成画像を、通信部２０３を通じて管理サーバ４に送信する（ステップＳ６）。このとき送信される生成画像には、当該生成画像を一義的に特定するための識別子（画像ＩＤ）が関連付けられている。さらに、送信される生成画像に、シールＩＤ等のその他の情報が関連付けられてよい。写真シール作成装置１から送信されたメールアドレス、生成画像、および画像ＩＤ等を、管理サーバ４の通信部４０３が受信し（ステップＳ７）、通信制御部４１１に出力する。通信制御部４１１は、受信した生成画像を、記憶部４０２の図示しない一時保存データベースに保存する。保存された生成画像などのデータは、規定の期限が経過するまで一時保存データベースに格納され続け、期限が経過すると自動的に一時保存データベースから削除される。
【０１７９】
このように、ユーザが将来有料会員になる場合を考慮して、１プレイで生成されたすべての生成画像を送信する。そのため、ユーザは、無料会員の状態で写真シール作成装置１を利用した後、サイト上で有料会員になった場合に、写真シール作成装置１において生成されたすべての生成画像を取得することができる。
【０１８０】
なお、通信制御部３１１は、管理サーバ４に対し、ユーザが選択した所定の枚数の生成画像、もしくは、制御部２０１が送信対象と決定した生成画像を送信してもよい。
【０１８１】
（案内メールの作成および送信）
通信制御部４１１は、受信したメールアドレスおよび画像ＩＤをメール作成部４１２に出力する。なお、シール紙にシールＩＤが印刷されている場合は、メールに画像ＩＤは記載しなくてもよい。メール作成部４１２は、通信制御部４１１から受け取ったメールアドレス宛に送信される、生成画像の保存をユーザに案内する案内メールを作成する。その手順は次の通りである。メール作成部４１２は、画像ＩＤをウェブページ作成部４１３に出力すると共に、当該画像ＩＤによって特定される生成画像を保存するためのウェブページを示すＵＲＬ１１０２の生成を、ウェブページ作成部４１３に要求する。なお、画像ＩＤの入力をユーザに促し、生成画像を保存させるＵＲＬを要求してもよい。ウェブページ作成部４１３は、要求されたＵＲＬ１１０２を生成し、メール作成部４１２に出力する。
【０１８２】
メール作成部４１２は、案内メールを作成するためのデータをメールデータベース４２１から取得する。そして、当該データ、ＵＲＬ１１０２、およびユーザのメールアドレスを用いて、図１５の（ａ）に示す案内メール１１０１を作成する。案内メール１１０１の本文中には、ＵＲＬ１１０２が記載されている。メール作成部４１２は、作成した案内メール１１０１を通信制御部４１１に出力する。通信制御部４１１は、通信部４０３を介して、ユーザのメールアドレス宛に案内メール１１０１を送信する（ステップＳ８）。
【０１８３】
なお、メール作成部４１２は、画像ＩＤとその画像ＩＤにかかわる生成画像とをまとめるウェブページではなく、シールＩＤをユーザに入力してもらうだけのウェブページを示すＵＲＬを含む案内メールを送信してもよい。この場合には、管理サーバ４は、案内メールに含まれるＵＲＬの示すウェブページ上において、携帯端末６からシール紙の欄外に印刷されたシールＩＤの入力を受け付け、当該管理サーバ４に送信されている生成画像を表示するようにしてもよい。
【０１８４】
（画像保存ページの要求および送信）
携帯端末６の通信部６０３は、送信された案内メール１１０１を受信し（ステップＳ９）、通信制御部６１１に出力する。通信制御部６１１は、入力された案内メール１１０１を表示制御部６１３に出力する。表示制御部６１３は、入力された案内メール１１０１を表示部６０５に出力する。ユーザは、表示部６０５に表示された案内メール１１０１を確認し、画像提供サイトに画像を保存するために、入力部６０４を用いてＵＲＬ１１０２を選択する（ステップＳ１０）。なお、画像ＩＤをユーザが入力するようにしてもよい。
【０１８５】
入力制御部６１２は、入力部６０４における選択入力を受け付け、ＵＲＬ１１０２が選択されたことを通信制御部６１１に通知する。これを受けて通信制御部６１１は、選択されたＵＲＬ１１０２に対応するウェブページを、管理サーバ４に要求する。具体的な手順は次の通りである。通信制御部６１１は、記憶部６０２に格納されているユーザの会員ＩＤを取得し、この会員ＩＤを含みかつウェブページの提供を求める所定のリクエストを、通信部６０３を通じて管理サーバ４に送信する。
【０１８６】
通信制御部４１１は、送信されたリクエストを通信部４０３を通じて受信し（ステップＳ１１）、ウェブページ作成部４１３に出力する。ウェブページ作成部４１３は、リクエストに含まれる会員ＩＤを会員データベース４２２に照会することによって、ユーザの会員種別を判定する（ステップＳ１２）。本実施形態では、ウェブページ作成部４１３は、ユーザが無料会員および有料会員のいずれであるかを判定し、判定結果に応じたウェブページを作成する。ウェブページ作成部４１３は、ユーザが無料会員であると判定した場合には、図１５（ｂ）に示すような、無料会員が画像を保存するためのウェブページ１１０３を作成する。一方、ユーザが有料会員であると判定した場合には、図１５（ｃ）に示すような、有料会員が画像を保存するためのウェブページ１１０７を作成する。
【０１８７】
なお、画像を保存する際に、画像にかかわる各情報を修正追記変更可能なウェブページに遷移してもよい。
【０１８８】
図１５（ｂ）に示すように、ウェブページ１１０３は、６つのサムネイル画像１１０４、ユーザに有料会員の登録を促すリンク画像１１０５、および、画像提供サイトに生成画像を１枚保存するためのリンク画像１１０６を含んでいる。サムネイル画像１１０４は、写真シール作成装置１において１プレイで生成された１または複数の生成画像（シールＩＤに対応する１または複数の生成画像）のサムネイル画像である。図１５（ｂ）に示す例では、１プレイで６枚の生成画像が生成されている。サムネイル画像１１０４の数は、写真シール作成装置１において１プレイで生成された生成画像（シールＩＤに対応する生成画像）の数に対応する。ユーザが無料会員である場合には保存できる生成画像が１枚であるため、ユーザは６つのサムネイル画像１１０４の中から１つを選択して、リンク画像１１０６を押下（タップ）することにより、生成画像を画像提供サイトに保存することができる。なお、ユーザが指定した生成画像のみを管理サーバ４に送信している場合、ウェブページ１１０３には、そのユーザが指定した生成画像のサムネイル画像１１０４が表示される。
【０１８９】
図１５（ｃ）に示すように、ウェブページ１１０７は、６つのサムネイル画像１１０４、および、全ての画像を保存するためのリンク画像１１０８を含んでいる。ユーザが有料会員である場合には１プレイで生成された生成画像を全て保存することができるため、ユーザはリンク画像１１０８を押下することにより、１プレイで生成された生成画像全てを画像提供サイトに保存することができる。
【０１９０】
本例では、ユーザは無料会員であるので、ウェブページ作成部４１３は、無料会員用のウェブページ１１０３を作成する。ウェブページ作成部４１３は、作成したウェブページ１１０３を通信制御部４１１に出力する。通信制御部４１１は、入力されたウェブページ１１０３を、通信部４０３を通じて携帯端末６に送信する（ステップＳ１３）。
【０１９１】
（画像保存）
携帯端末６は、通信部６０３を通じてウェブページ１１０３を受信する（ステップＳ１４）。ウェブページ１１０３は、通信制御部６１１を介して表示制御部６１３に出力される。表示制御部６１３は、入力されたウェブページ１１０３を表示部６０５に出力する。ユーザは、表示部６０５に表示されたウェブページ１１０３を確認する。ユーザが無料会員である場合、生成画像が複数枚あったとしても、画像提供サイトに保存できるのは、それらのうちのいずれか１枚である。ユーザは、１枚の生成画像を保存したい場合、入力部６０４を通じて、いずれかのサムネイル画像１１０４を選択してから、リンク画像１１０６を押下する。なお、当該保存したい生成画像は、写真シール作成装置１において携帯端末６へ送信する生成画像として選択した画像に限られず、例えば、画像提供サイトにアクセスしている携帯端末６において保存対象の画像として指定された生成画像であってもよい。
【０１９２】
入力制御部６１２は、入力部６０４における選択入力を受け付け、所定のサムネイル画像１１０４およびリンク画像１１０６が選択されたことを通信制御部６１１に通知する。これを受けて、通信制御部６１１は、所定のサムネイル画像１１０４に対応する生成画像を保存する指示（画像保存指示）を管理サーバ４に送信する（ステップＳ１５）。
【０１９３】
送信された画像保存指示を、通信制御部４１１が通信部４０３を通じて受信する（ステップＳ１６）。これにより通信制御部４１１は、画像保存指示の示すユーザが選択した生成画像の保存を画像管理部４１４に指示する。画像管理部４１４は、この指示を受けて、一時保存データベースに格納されているユーザの生成画像の画像管理情報を生成し、生成した画像管理情報を対応付けた生成画像を、ユーザの会員ＩＤに関連付けて画像データベース４２４に保存する（ステップＳ１７）。
【０１９４】
なお、無料会員であるユーザは、全ての生成画像を保存したい場合、リンク画像１１０５を選択する。この場合、有料会員登録のための一連の処理が画像管理システム１０において行われる。そして登録が完了すると、全ての生成画像がユーザの会員ＩＤに関連付けられて画像データベース４２４に保存される。
【０１９５】
また、ユーザが有料会員である場合の保存処理は、本質的には上述した無料会員の場合の保存処理と同じである。ただし、ユーザは、ウェブページ１１０７に含まれるリンク画像１１０８を選択する。これにより管理サーバ４は、画像データベース４２４におけるユーザの画像記憶領域に、１プレイで生成された全ての生成画像を保存する。なお、ユーザによる保存する生成画像（無料会員であれば１枚の生成画像、有料会員であれば全ての生成画像）の選択は、写真シール作成装置１において受け付けられていてもよい。この場合には、画像管理部４１４は、写真シール作成装置１において選択されている生成画像を画像データベース４２４に保存すればよい。
【０１９６】
画像管理部４１４が生成画像を画像データベース４２４に保存すると、ウェブページ作成部４１３は、画像保存完了ページを作成する。ウェブページ作成部４１３は、例えば、図１５（ｄ）に示す画像保存完了ページ１１１１を作成してもよい。
【０１９７】
図１５（ｄ）に示すように。画像保存完了ページ１１１１は、画像管理部４１４が画像データベース４２４に保存した生成画像のサムネイル画像１１１２およびマイページ（詳細は後述）へのリンクテキスト１１１３を含む。図１５（ｄ）では、画像保存完了ページ１１１１が６つのサムネイル画像１１１２を含み、６つの生成画像が保存された場合を示している。ユーザは、リンクテキスト１１１３を押下することにより、携帯端末６にマイページを表示させることができる。
【０１９８】
ウェブページ作成部４１３は、作成した画像保存完了ページ１１１１を通信制御部４１１に出力する。通信制御部４１１は、入力された画像保存完了ページ１１１１を、通信部４０３を通じて携帯端末６に送信する（ステップＳ１８）。
【０１９９】
携帯端末６の通信制御部６１１は、通信部６０３を通じて画像保存完了ページ１１１１を受信し、受信した画像保存完了ページ１１１１を表示制御部６１３に出力する。表示制御部６１３は、入力された画像保存完了ページ１１１１を表示部６０５に出力する（ステップＳ１９）。ユーザは、表示部６０５に表示された画像保存完了ページ１１１１を確認することにより、画像提供サイトに保存された生成画像を確認することができる。
【０２００】
（マイページ表示）
ユーザが画像保存完了ページ１１１１のリンクテキスト１１１３を選択すると（ステップＳ２０）、入力制御部６１２は、入力部６０４における選択入力を受け付け、リンクテキスト１１１３が選択されたことを通信制御部６１１に通知する。これを受けて通信制御部６１１は、選択されたリンクテキスト１１１３に対応するマイページを、管理サーバ４に要求する。具体的な手順は次の通りである。通信制御部６１１は、記憶部６０２に格納されているユーザの会員ＩＤを取得し、この会員ＩＤを含みかつマイページの提供を求める所定のリクエストを、通信部６０３を通じて管理サーバ４に送信する。
【０２０１】
通信制御部４１１は、送信されたリクエストを通信部４０３を通じて受信し（ステップＳ２１）、ウェブページ作成部４１３に出力する。ウェブページ作成部４１３は、リクエストに基づいてマイページを作成する（ステップＳ２２）。具体的には、ウェブページ作成部４１３は、リクエストに含まれる会員ＩＤを会員データベース４２２に照会することによって、ユーザを特定する。ウェブページ作成部４１３は、特定したユーザのユーザ管理情報および画像管理情報を、会員データベース４２２、画像データベース４２４から読み出して、特定したユーザのマイページを作成する。ウェブページ作成部４１３は、例えば、図１６（ａ）に示すようなマイページ１２００を作成してもよい。
【０２０２】
ウェブページ作成部４１３は、作成したマイページ１２００を通信制御部４１１に出力する。通信制御部４１１は、入力されたマイページ１２００を、通信部４０３を通じて携帯端末６に送信する（ステップＳ２３）。
【０２０３】
携帯端末６の通信制御部６１１は、通信部６０３を通じてマイページ１２００を受信し、受信したマイページ１２００を表示制御部６１３に出力する。表示制御部６１３は、入力されたマイページ１２００を表示部６０５に出力する（ステップＳ２４）。ユーザは、表示部６０５に表示されたマイページ１２００およびマイページ１２００から遷移するページにおいて、画像提供サイトに保存された生成画像を閲覧することができる。
【０２０４】
（マイページの詳細）
マイページは、画像提供サイトを構成するウェブページであって、ユーザ毎に作成される各ユーザ固有のウェブページである。具体的には、マイページは、ユーザが画像提供サイト上で所有する生成画像（ユーザが画像提供サイトに保存した生成画像）を閲覧するためのウェブページである。また、マイページには、ユーザのステータスが表示される。また、マイページから、生成画像を整理するためのページ、または、他のユーザの生成画像を閲覧するためのページに遷移することができる。
【０２０５】
図１６（ａ）に示すように、マイページ１２００は、ユーザ画像１２０１、ユーザ名１２０２、所持画像数１２０３、フォロー人数１２０４、フォロワー人数１２０５、評価数１２０６、アルバム１２１０、１２２０、１２３０、１２４０、ページ切替ボタン１２５１〜１２５５、アルバムメニューボタン１２５６、および、設定ボタン１２５７を含む。
【０２０６】
ユーザ画像１２０１は、ユーザが任意に設定した画像である。ユーザ名１２０２は、ユーザの名称である。所持画像数１２０３は、ユーザが画像提供サイト上で所持する生成画像の枚数である。
【０２０７】
フォロー人数１２０４は、ユーザがフォローしている人数である。フォロワー人数１２０５は、ユーザがフォローされている人数（フォロワーの人数）である。ここで、フォローとは、ユーザ間の一方的な関係である。後述するタイムラインページにおいて、フォローしている他のユーザのアルバムを閲覧することができる。
【０２０８】
評価数１２０６は、ユーザが評価した画像の枚数である。ユーザは、自身の生成画像および他のユーザの生成画像に対して評価することができる。本実施形態では、ユーザは、良いと思った生成画像に対して評価を付与する。すなわち、本実施形態では、ユーザは生成画像に対して、「評価有り／評価無し」の２段階で評価する。ただし、これに限るものではなく、３段階以上の評価をしてもよい。例えば、「すごく良い／とても良い／良い／やや良い／良くない」の５段階で評価してもよい。
【０２０９】
なお、ユーザが、自身のアルバムおよび他のユーザのアルバムに対して評価を付与することができる場合、評価数１２０６は、ユーザが評価したアルバムの個数であってもよいし、ユーザが評価した画像の枚数およびアルバムの個数の合計であってもよい。
【０２１０】
アルバム１２１０、１２２０、１２３０および１２４０は、ユーザが画像提供サイト上で所持する生成画像を分類、整理するためのものであり、各アルバムは、１または複数の生成画像を含む。アルバム１２１０は、デフォルトで設定されるアルバムであり、ユーザが画像提供サイトに保存した生成画像はアルバム１２１０に格納される。アルバム１２２０、１２３０および１２４０は、ユーザが作成したアルバムである。
【０２１１】
ここで、アルバム１２１０〜１２４０は、アルバム管理情報に示すアルバムの表示順序に従って順番に並べて表示される。なお、アルバム１２１０は、デフォルトで設定されるアルバムであり、常に先頭に表示される（アルバム管理情報において、アルバムの表示順序が「０」である）。
【０２１２】
アルバム１２１０は、アルバム名１２１１、カバー画像１２１２、サムネイル画像１２１３およびアルバム内画像数１２１４を含む。アルバム名１２１１は、アルバムの名称である。カバー画像１２１２は、アルバムごとにユーザが任意に設定した画像である。サムネイル画像１２１３は、アルバム内に含まれる生成画像のサムネイル画像である。アルバム内画像数１２１４は、アルバム内に含まれる生成画像の枚数である。
【０２１３】
アルバム１２１０に表示されるサムネイル画像１２１３の数は任意でよい。図１６（ａ）に示す例では、３つのサムネイル画像１２１３が表示されている。本実施形態では、アルバム内の表示順序が１〜３番である生成画像のサムネイル画像がサムネイル画像１２１３として表示される。
【０２１４】
なお、非公開のアルバムに、非公開アイコン１２１５を表示してもよい。また、アルバム内にユーザがまだ閲覧していない（未読）の生成画像がある場合、未読の生成画像の枚数を示す未読画像数バッジ１２１６を表示してもよい。例えば、ユーザが画像提供サイトに新たに生成画像を保存した場合、「未整理プリ」アルバム１２１０に未読画像数バッジ１２１６が表示される。
【０２１５】
また、アルバムに対する評価の数を示すアルバム評価数１２２１を表示してもよい。本実施形態では、アルバム内の生成画像に対する評価の数の合計をアルバム評価数とする。すなわち、図１６（ａ）に示す例では、アルバム１２２０内の生成画像に対する評価の合計が５０である。ユーザがアルバム評価数１２２１を押下することにより、評価が付与された画像および当該画像に対して評価を付与したユーザの一覧が表示されてもよい。
【０２１６】
ページ切替ボタン１２５１〜１２５５は、他のページに切り替えるためのボタンである。ページ切替ボタン１２５１は、タイムラインページに遷移するためのボタンであり、ページ切替ボタン１２５２は、ニュースページに遷移するためのボタンであり、ページ切替ボタン１２５３は、アルバム作成ページに遷移するためのボタンであり、ページ切替ボタン１２５４は、プリモページに遷移するためのボタンであり、ページ切替ボタン１２５５は、マイページに遷移するためのボタンである。
【０２１７】
なお、プリモページは、読者モデル等の特定のユーザの所有する生成画像を公開するためのページであって、当該特定ユーザの公開専用のアルバムが掲載される。一般のユーザは、プリモページを閲覧することにより、特定のユーザの公開専用のアルバム内の生成画像を自由に閲覧することができる。また、ニュースページは、いいね／フォロー／コメントなどの状況、および、サイト運営側からの情報が掲載されるページである。
【０２１８】
アルバムメニューボタン１２５６は、アルバムメニューページに遷移するためのボタンである。また、設定ボタン１２５７は、各種設定を行うための設定ページに遷移するためのボタンである。
【０２１９】
（画像閲覧）
次に、マイページ１２００からユーザが所持する生成画像を閲覧する場合のウェブページの遷移について説明する。
【０２２０】
ユーザがマイページ１２００上のアルバム１２１０、１２２０、１２３０および１２４０の何れかを押下すると、図１６（ｂ）に示すような、アルバム詳細ページ１３００に遷移する。図１６（ｂ）は、「未整理プリ」アルバム１２１０のアルバム詳細ページの一例である。
【０２２１】
図１６（ｂ）に示すように、アルバム詳細ページ１３００は、サムネイル画像１３０１、プルダウンボタン１３０２、整理ボタン１３０３および戻るボタン１３０４を含む。
【０２２２】
サムネイル画像１３０１は、アルバム内の生成画像のサムネイル画像である。各サムネイル画像１３０１は、アルバム管理情報における画像の表示順序に従って順番に並べて表示される。アルバム詳細ページ１３００では、ユーザは、ページをスクロール等することにより、アルバム内の全ての生成画像のサムネイルを閲覧することができる。
【０２２３】
プルダウンボタン１３０２は、表示順序を切り替えるための切替ボタンを表示するためのプルダウンボタンである。ユーザがプルダウンボタン１３０２を押下することにより、アルバム内の生成画像の表示順序を切り替えるためのボタンが表示される。例えば、ユーザは、新着順、日付順、機種順等で生成画像の表示順序を切り替えることができる。なお、ユーザが生成画像の表示順序を切り替えると、画像管理部４１４は、アルバム管理情報における画像の表示順序を更新する。
【０２２４】
整理ボタン１３０３は、アルバム内の生成画像を整理するためのアルバム整理ページに遷移するためのボタンである。例えば、ユーザは、アルバム整理ページにおいて、アルバム内における生成画像の表示順序を変更したり、アルバム内の生成画像を削除したり、アルバム内の生成画像を他のアルバムへ移動させたりすることができる。戻るボタン１３０４は、ひとつ前のウェブページに戻るためのボタンである。
【０２２５】
ユーザがアルバム詳細ページ１３００上のサムネイル画像１３０１の何れかを押下すると、選択されたサムネイル画像１３０１に対応する生成画像を閲覧するための画像詳細ページに遷移する。画像詳細ページは、例えば、図１６（ｃ）に示すようなページである。
【０２２６】
画像詳細ページ１３５０は、生成画像１３５１、ユーザ画像１３５２およびユーザ名１３５３、保存日１３５４、撮影機種１３５５、評価ボタン１３６１、コメントボタン１３６２、設定ボタン１３６３、保存ボタン１３６４、評価数１３６５、コメント数１３６６、および、閉じるボタン１３６７を含む。
【０２２７】
生成画像１３５１は、画像提供サイトに保存されている生成画像そのものである。ユーザ画像１３５２は、生成画像１３５１を所持するユーザのユーザ画像である。ユーザ名１３５３は、生成画像１３５１を所持するユーザの名称である。保存日１３５４は、生成画像１３５１が画像提供サイトに保存された日時である。撮影機種１３５５は、生成画像１３５１を生成した写真シール作成装置１の機種である。
【０２２８】
評価ボタン１３６１は、ユーザが生成画像１３５１に評価を付与するためのボタンである。コメントボタン１３６２は、ユーザが生成画像１３５１にコメントを付与するためのボタンである。設定ボタン１３６３は、生成画像１３５１について種々の設定を行うための設定ページに遷移するためのボタンである。設定ページでは、ユーザは、例えば、生成画像１３５１を他のアルバムへ移動させたり、生成画像１３５１を削除したり、生成画像１３５１をＳＮＳに投稿したりすることができる。
【０２２９】
保存ボタン１３６４は、ユーザが自身の携帯端末６等の通信端末に生成画像１３５１をダウンロードするためのボタンである。評価数１３６５は、生成画像１３５１に付与されている評価の数である。コメント数１３６６は、生成画像１３５１に付与されているコメントの数である。なお、ユーザが評価数１３６５またはコメント数１３６６を押下することにより、画像に対して評価を付与したユーザの一覧または画像に対してコメントを付与したユーザおよび当該コメントの内容の一覧が表示されてもよい。閉じるボタン１３６７は、画像詳細ページ１３５０を閉じて、アルバム詳細ページ１３００に戻るためのボタンである。
【０２３０】
なお、画像詳細ページ１３５０における、生成画像１３５１、ユーザ画像１３５２およびユーザ名１３５３、保存日１３５４、撮影機種１３５５、評価ボタン１３６１、コメントボタン１３６２、設定ボタン１３６３、保存ボタン１３６４、評価数１３６５、コメント数１３６６、および、閉じるボタン１３６７の位置は図１６（ｃ）の例に限らず任意である。例えば、生成画像１３５１の形状に応じて、画像の属性情報（画像管理情報）の表示位置やボタンの表示位置を変更してもよい。例えば、縦長の生成画像１３５１と横長の生成画像１３５１とで表示位置を変更してもよい。
【０２３１】
次に、ユーザ自身が作成したアルバムのアルバム詳細ページの一例を図１６（ｄ）に基づいて説明する。図１６（ｄ）は、「高校めんばー」アルバム１２２０のアルバム詳細ページの一例である。
【０２３２】
図１６（ｄ）に示すように、アルバム詳細ページ１３７０は、アルバム名１３７１、カバー画像１３７２、説明文１３７３、サムネイル画像１３７４、編集ボタン１３８１および戻るボタン１３８２を含む。
【０２３３】
アルバム名１３７１は、アルバムの名称である。カバー画像１３７２は、アルバムのカバー画像である。説明文１３７３は、アルバムの説明文である。
【０２３４】
サムネイル画像１３７４は、アルバム内の生成画像のサムネイル画像である。各サムネイル画像１３７４は、アルバム管理情報における画像の表示順序に従って順番に並べて表示される。図１６（ｄ）に示すアルバム詳細ページ１３００と同様に、アルバム詳細ページ１３７０では、ユーザは、ページをスクロール等することにより、アルバム内の全ての生成画像のサムネイルを閲覧することができる。
【０２３５】
編集ボタン１３８１は、アルバムを編集するためのアルバム編集ページに遷移するためのボタンである。例えば、ユーザは、アルバム編集ページにおいて、アルバム内における生成画像の表示順序を変更したり、アルバムに新たな生成画像を追加したり、アルバム内の生成画像を削除したり、アルバム内の生成画像を他のアルバムへ移動させたりすることができる。また、ユーザは、アルバム編集ページにおいて、アルバムの名称、カバー画像、説明文を変更することができる。また、ユーザは、アルバム編集ページにおいて、アルバムの公開設定を変更したり、アルバムをＳＮＳでシェアしたりすることができる。戻るボタン１３８２は、ひとつ前のウェブページに戻るためのボタンである。
【０２３６】
ここで、本実施形態では、アルバム内の生成画像を他のアルバムへ移動した場合、移動元のアルバムから当該生成画像を削除し、移動先のアルバムに当該生成画像を追加する。ただし、これに限るものではなく、アルバム内の生成画像を他のアルバムへ移動した場合、移動先のアルバムに当該生成画像を追加すると共に、移動元のアルバムに当該生成画像を削除せず残してもよい。つまり、移動先のアルバムに重複する生成画像が作成されてもよい。
【０２３７】
また、本実施形態では、アルバム内の生成画像を削除した場合、画像データベース４２４から当該生成画像の画像データが削除される。そのため、ユーザによる削除操作が行われた場合、ユーザに対して、ポップアップ表示等により、生成画像が完全に消去される（後に生成画像を復元できない）旨を通知し、生成画像の削除の合意をとる。ただし、これに限るものではなく、「未整理プリ」アルバム以外の他のアルバム（ユーザが作成したアルバム）内の生成画像を削除した場合、当該他のアルバムから当該生成画像を削除するが、当該生成画像を「未整理プリ」アルバムに残してもよい（当該生成画像を「未整理プリ」アルバムに追加してもよい）。さらに、生成画像を移動させた場合に移動元にも当該生成画像を残す場合、何れかのアルバム内の当該生成画像を削除すると、当該生成画像を何れのアルバムから全て削除してもよい。このとき、当該生成画像を「未整理プリ」アルバムに残してもよい。また、何れかのアルバム内の当該生成画像を削除した場合、削除操作を行ったアルバム内の生成画像のみが削除されてもよい。
【０２３８】
（アルバムの作成）
次にアルバムを作成するためのアルバム作成ページについて説明する。
【０２３９】
ユーザがマイページ１２００等において、ページ切替ボタン１２５３を押下すると、図１７（ａ）に示すような、アルバム作成ページ１４００に遷移する。
【０２４０】
図１７（ａ）に示すように、アルバム作成ページ１４００は、公開設定ボタン１４０１、ＳＮＳボタン１４０２、タイトル入力ボックス１４０３、カバー画像入力ボックス１４０４、説明文入力ボックス１４０５および画像追加ボタン１４０６を含む。
【０２４１】
公開設定ボタン１４０１は、作成するアルバムの公開を設定するためのボタンである。ＳＮＳボタン１４０２は、作成するアルバムをＳＮＳでシェアするためのボタンである。タイトル入力ボックス１４０３は、作成するアルバムのアルバム名を入力するためのボックスである。カバー画像入力ボックス１４０４は、作成するアルバムのカバー画像を入力するためのボックスである。説明文入力ボックス１４０５は、作成するアルバムの説明文を入力するためのボックスである。画像追加ボタン１４０６は、作成するアルバムに含める生成画像を選択するためのボタンである。
【０２４２】
ユーザは、タイトル入力ボックス１４０３または説明文入力ボックス１４０５を押下することにより、テキストを入力することができる。また、ユーザは、カバー画像入力ボックス１４０４を押下することにより、カバー画像として用いる画像を選択したり、カバー画像用に画像を編集することができる。また、ユーザは、画像追加ボタン１４０６を押下することにより、既存のアルバム（「未整理プリ」アルバムまたはユーザが作成したアルバム）内の生成画像の中から、新たに作成するアルバムに追加する生成画像を選択することができる。
【０２４３】
なお、ユーザがカバー画像を選択するのではなく、管理サーバ４（画像管理部４１４）が自動的にカバー画像を決定してもよい。例えば、画像管理部４１４は、新たに作成するアルバムに追加する生成画像のうち、最も評価の高い生成画像をカバー画像として決定してもよい。また、画像管理部４１４は、新たに作成するアルバムに追加する生成画像として、ユーザが最初にまたは最後に選択した生成画像をカバー画像として決定してもよい。特に、「未整理プリ」アルバムのカバー画像は、画像管理部４１４が自動的に決定してもよい。この場合、例えば、画像管理部４１４は、「未整理プリ」アルバム内において撮影日時または保存日時が最新または最古の生成画像をカバー画像として決定してもよい。
【０２４４】
ユーザが新たに作成するアルバムのアルバム名、カバー画像、説明文、生成画像を入力・選択すると、図１７（ｂ）に示すように、アルバム作成ページ１４５０に入力または選択したアルバム名、カバー画像、説明文、生成画像が表示される。ユーザがアルバム作成に必要な情報を入力した後、アルバム作成ページ１４５０上の保存ボタン１４５１を押下することにより、入力または選択した内容で新たなアルバムが作成される。
【０２４５】
なお、新たに作成したアルバムの表示順序は「１」となる。つまり、新たに作成したアルバムの表示順序は、「未整理プリ」アルバム１２１０の次になる。また、新たに作成したアルバム内の生成画像の表示順序は、日付順（保存日時または撮影日時）であってもよいし、ユーザが生成画像を選択した順番であってもよい。
【０２４６】
また、ユーザが保存ボタン１４５１を押下すると、マイページ１２００に遷移する。そのため、ユーザは、マイページ１２００上でアルバムが新たに作成されたことを確認することができる。
【０２４７】
また、マイページ１２００上のアルバムメニューボタン１２５６からもアルバムを作成することができる。ユーザがアルバムメニューボタン１２５６を押下すると、図１７（ｃ）に示すような、アルバムメニューページ１４７０に遷移する。
【０２４８】
図１７（ｃ）に示すように、アルバムメニューページ１４７０は、アルバム作成ボタン１４７１、アルバム並び替えボタン１４７２、および、アルバム削除ボタン１４７３を含む。
【０２４９】
アルバム作成ボタン１４７１は、アルバム作成ページ１４００に遷移するためのボタンである。ユーザは、アルバム作成ボタン１４７１を押下することにより、上記と同様に、アルバムを作成することができる。アルバム並び替えボタン１４７２は、作成したアルバムのマイページ１２００上での表示順序（表示位置、配置）を変更するためのアルバム表示順序変更ページに遷移するためのボタンである。ユーザは、アルバム表示順序変更ページにおいて、ドラッグ＆ドロップ等の操作により、作成したアルバムの表示順序を変更することができる。なお、ユーザがアルバムの表示順序を変更すると、画像管理部４１４は、アルバム管理情報におけるアルバムの表示順序を更新する。アルバム削除ボタン１４７３は、作成したアルバムを削除するためのアルバム削除ページに遷移するためのボタンである。ユーザは、アルバム削除ページにおいて、作成したアルバムを削除することができる。なお、削除したアルバム内の生成画像は、「未整理プリ」アルバムに移動する。
【０２５０】
（アルバムの各種設定変更）
図１６（ｄ）に示すようなアルバム詳細ページ１３７０上において、ユーザが編集ボタン１３８１を押下すると、図１８（ａ）に示すような、アルバム編集ページ１７００に遷移する。図１８（ａ）に示すように、アルバム編集ページ１７００は、保存ボタン１７０２、戻るボタン１７０４、カバー画像１３７２、説明文１３７３、サムネイル画像１３７４ａ〜ｄ、画像追加ボタン１７０６、および画像並べ替えボタン１７０８を含む。
【０２５１】
保存ボタン１７０２は、アルバム編集ページ１７００にて行ったアルバム編集の結果を、サーバ４のアルバム管理情報に記憶させるためのボタンである。戻るボタン１７０４は、ひとつ前のウェブページに画面遷移する（戻る）ためのボタンである。画像追加ボタン１７０６は、アルバムに画像を追加するためのボタンである。画像並べ替えボタン１７０８は、アルバムに含まれる画像の並び替えを行うためのボタンである。
【０２５２】
図１８（ａ）に示すアルバム編集ページ１７００において、ユーザが図示の通り画像並べ替えボタン１７０８を押下する操作を行うと、図１８（ｂ）に示すような画像並び替えページ１８００に遷移する。画像並び替えページ１７００は、アルバム画像の並び替えを行うページである。図１８（ｂ）に示すように、画像並べ替えページ１８００は、保存ボタン１８０２、戻るボタン１８０４、サムネイル画像１３７４ａ〜ｄ、背景付加ボタン１８０６、スタンプ付加ボタン１８０８、および形状変更ボタン１８１０を含む。
【０２５３】
保存ボタン１８０２は、画像並び替えページ１８００にて行ったアルバム（画像）に対する種々の設定変更を、サーバ４のアルバム管理情報に記憶させるためのボタンである。保存ボタン１８０２が押下されると、その時点での各アルバム画像の設定（例えばアルバム画像の配置）が、サーバ４の画像データベース４２４に記憶される。戻るボタン１８０４は、ひとつ前のウェブページに戻るためのボタンである。背景付加ボタン１８０６は、アルバムの背景（画像が配置されていない余白の部分）に背景画像を付加するためのボタンである。スタンプ付加ボタン１８０８は、アルバムの画像上または背景上にスタンプを付加するためのボタンである。形状変更ボタン１８１０は、画像の形状を変更する（画像を型抜きする）ためのボタンである。なお、背景付加ボタン１８０６、スタンプ付加ボタン１８０８、および形状変更ボタン１８１０については、後に図２２の説明で詳述する。
【０２５４】
以上で説明したアルバム編集ページ１７００および画像並び替えページ１８００はそれぞれ、アルバム内の画像（アルバム画像）の設定を変更することができるウェブページである。以下、具体例を説明する前に、アルバム編集ページ１７００および画像並び替えページ１８００を表示した携帯端末６およびサーバ４における、アルバム画像の設定変更の流れの概要を説明する。
【０２５５】
本実施形態に係る携帯端末６の入力制御部６１２は、入力部６０４においてアルバム画像の設定の変更指示（設定変更指示）を示す入力操作を受けたか否か判定する。なお、ここで言う「アルバム画像の設定」とは、画像管理情報に含まれる各種情報を示す。例を挙げると、アルバム画像の設定とは、アルバム画像の表示位置（配置、表示順序）、表示サイズ、表示角度（画像の回転角度）、表示領域（一枚のアルバム画像のうちウェブページ中に表示する領域）、重畳関係を示す情報である。
【０２５６】
入力制御部６１２が設定変更指示を受けたと判定した場合、制御部６０１は、上記設定変更指示が示す変更内容を、通信制御部６１１および通信部６０３を介してサーバ４に送信する。サーバ４は上記変更内容を示す情報を受信すると、当該変更内容を反映させた画像並び替えページを再作成し、これを端末装置６へと送信する。そして、端末装置６の表示制御部６１３は再作成された画像並び替えページを受信し、これを表示部６０５に表示させる。これにより、ユーザの入力操作により指示された、アルバム画像の設定変更が反映された画像並び替えページが携帯端末６に表示されることとなる。
【０２５７】
本実施形態に係る携帯端末６とサーバ４とは、上述のようなアルバム画像の設定変更を繰り返すことにより、サーバ４でユーザの趣向に沿ったアルバム編集ページ１７００または画像並び替えページ１８００を作成し、作成したページを携帯端末６で表示することができる。そして、携帯端末６の入力制御部６１２は、入力部にて所定の操作（保存ボタン１７０２または１８０２の押下など）が行われた場合、上記設定変更を保存する旨の指示をサーバ４に送信する。最後に、サーバ４は当該指示を受けて、アルバム画像の設定変更を画像データベース４２４内の画像管理情報に記憶させる。これにより、ユーザの趣向に沿った設定がなされたアルバムを保存しておくことができる。
【０２５８】
次に、アルバム画像の設定変更の一例として、アルバム画像を並び替える処理（すなわち、アルバム画像の表示位置の設定を変更する処理）について、図１８（ｃ）〜（ｅ）を参照して説明する。まず始めに、画像並び替えページ１８００におけるアルバム画像の表示位置と表示順序との関係性を、図１８（ｆ）を参照して説明する。
【０２５９】
なお、同図では画像並び替えページ１８００を例にとり表示位置と表示順序との関係を説明しているが、当該関係性はアルバム詳細ページ１３７０やアルバム編集ページ１７００においても同様である。また、以降の図面ではアルバム画像の設定変更を全て画像並び替えページ１８００で行うこととして説明しているが、アルバム画像の設定変更はアルバム編集ページ１７００で行われてもよく、この場合の処理も以下で説明する画像並び替えページ１８００で行う処理と同様である。
【０２６０】
図１８（ｆ）は、画像の表示位置と、画像の表示順序との関係性の一例を模式的に示した図である。同図では、画像の表示位置を点線の四角で、当該表示位置に対応する表示順序を点線の四角内の数字で示している。図示の通り、本実施形態においては、最も表示順序が小さい（表示順序：１）画像から順に左上詰めで画像が配置される。
【０２６１】
次に、画像の表示位置の変更の具体例を図１８（ｃ）〜（ｅ）を参照して説明する。図１８（ｃ）〜（ｅ）は、ユーザが、図１８（ｂ）に示した画像並び替えページ１８００に対してアルバム画像１３７４ａの表示位置を変更する操作を行った場合の当該操作と、携帯端末６に表示される画像並び替えページの遷移を示す。
【０２６２】
図１８の（ｃ）に示すように、携帯端末６の表示部６０５に画像並び替えページ１８００が表示された状態で、ユーザがサムネイル画像１３７４ａを、サムネイル画像１３７４ｂの上へとドラッグアンドドロップしたとする。この場合、入力制御部６１２は、アルバム画像の表示位置を変更するための指示（表示位置変更指示）を受けたと判定する。より具体的には、入力制御部６１２は、ドラッグアンドドロップにてドラッグ対象であるアルバム画像の表示位置と、上記ドラッグアンドドロップにて上記アルバム画像がドロップされた位置に表示されているアルバム画像の表示位置とを入れ替える旨の表示位置変更指示がなされたと判定する。
【０２６３】
制御部６０１は入力制御部６１２の判定結果を受けると、上述した表示位置の変更内容を示す情報をサーバ４へと送信する。サーバ４の通信制御部４１１は当該情報を受信すると、当該情報をウェブページ作成部４１３に送信する。ウェブページ作成部４１３は上記情報に応じて、アルバム画像（ドラッグ対象のアルバム画像）の表示位置を変更した画像並び替えページ１８００を作成し、通信制御部４１１を介し携帯端末６に送信する。携帯端末６の表示制御部６１３は上記ページを受信し、表示部６０５に表示させる。これにより、図１８の（ｄ）に示すように、アルバム画像１３７４ａとアルバム画像１３７４ｂとの表示位置が入れ替わった画像並び替えページが表示部６０５に表示される。そして、保存ボタン１８０２が押下されると、各アルバム画像の表示位置が現在表示されている位置に確定される（サーバ４の画像データベース４１４のアルバム管理情報の表示順序が更新され）とともに、図１８の（ｅ）に示すように、当該確定後の表示位置に応じてサーバ４で作成された、アルバム詳細ページ１３７０に画面遷移する。
【０２６４】
なお、図１８（ｃ）〜（ｅ）では、表示位置変更指示を示す操作がドラッグアンドドロップである場合を例にとり説明した。しかしながら、本実施形態に係る携帯端末６の入力制御部６１２はドラッグアンドドロップ以外の操作を表示位置変更指示を示す操作であると判断してもよい。例えば、画像並び替えページ１８００に、表示位置の変更対象となるアルバム画像を選択するための選択ボタンと、当該選択されたアルバム画像の表示位置（表示順序）を入力する入力欄が配置されている場合、入力制御部６１２は、当該選択ボタンが押下され、かつ上記入力欄に表示位置が入力された場合に、当該操作を表示位置変更指示であると判定してもよい。また、入力制御部６１２は、矢印など所定のボタンが押下された場合に、表示位置変更指示を示す操作を受け付けたと判断してもよい。より具体的には、例えば、各アルバム画像に重畳するように、上下左右斜めの８方向の矢印ボタンなどを設ければよい。さらに言えば、上記矢印ボタンは、アルバム画像の表示位置に応じて、移動可能な方向への矢印ボタンのみ表示させてもよい。例えばアルバム画像がアルバム詳細ページ１３７０の左端に表示されている場合、当該アルバム画像に対応する矢印ボタンのうち、左に画像を移動させるための矢印ボタンは非表示としてもよい。
【０２６５】
次に、図１８（ｃ）〜（ｅ）にて説明したアルバム画像の表示位置の変更処理の流れを図１９を用いて説明する。図１９は、アルバム画像の表示位置の変更処理の流れを示すフローチャートである。
【０２６６】
携帯端末６の入力部６０２は、表示部６０５に画像並び替えページ１８００を表示した状態で、ユーザの所定の入力操作を受け付けると当該操作を受け付ける（Ｓ１００）。また、入力制御部６１２は当該操作が表示位置変更指示を示す操作であるか否か判定する（Ｓ１００、入力ステップおよび指示判定ステップ）。表示位置変更指示を示す操作であった場合、入力制御部６１２は次に、当該操作から表示位置の変更対象となるアルバム画像を特定する（Ｓ１０２）。例えば、図１８（ｂ）においては、上記変更対象となるアルバム画像はアルバム画像１３７４ａである。変更対象のアルバム画像を特定すると、次に入力制御部６１２は、当該アルバム画像の変更後の表示位置を特定する（Ｓ１０４）。例えば図１８（ｂ）の場合、変更後の表示位置とは、アルバム画像１３７４ｂがある位置（図１８（ｆ）によると、表示順序が２番目の位置）である。
【０２６７】
入力制御部６１２は特定した変更対象のアルバム画像を示す情報と、上記アルバム画像の変更後の表示位置を示す情報とを、通信制御部６１１に送る。通信制御部６１１は、これらの情報をサーバ４に送信する（Ｓ１０６）。サーバ４の通信制御部４１１は変更対象のアルバム画像を示す情報と、上記アルバム画像の変更後の表示位置を示す情報とを受信する（情報受信ステップ）。これらの情報はウェブページ作成部４１３に送られ、ウェブページ作成部４１３は上記情報を用いて、受信した情報が示す表示位置（アルバム画像の変更後の表示位置）に応じた位置に、上記変更対象のアルバム画像を表示した画像並び替えページ１８００を作成する（Ｓ２００、アルバムページ作成ステップ）。ウェブページ作成部４１３は作成した画像並び替えページ１８００を、通信制御部４１１に送る（送信ステップ）。そして、通信制御部４１１は当該画像並び替えページ１８００を携帯端末６に送信する（Ｓ２０２）。
【０２６８】
携帯端末６の通信制御部６１１は上記画像並び替えページ１８００を受信すると、これを表示制御部６１３に送る。表示制御部６１３は、上記画像並び替えページ１８００を表示部６０５に表示させる（Ｓ１０８）。ここで、携帯端末６の入力部６０２にて、画像並び替えページ１８００の「保存」ボタンが押下された旨の入力操作が受け付けられると（Ｓ１１０）、入力制御部６１２はこれを検知し、制御部６０１は現在の画像並び替えページ１８００におけるアルバム画像の表示位置を保存する旨の指示を、通信制御部６１１を介してサーバ４に送信する（Ｓ１１２）。サーバ４の画像管理部４１４は当該指示を受信すると、画像データベース４２４に保存されたアルバム管理情報について、各アルバム画像の表示順序を、現在の画像並び替えページの表示位置（すなわち表示順序）に応じて更新する（Ｓ２０４）。
【０２６９】
なお、上記処理の流れでは、表示位置の変更がある度に、サーバ４に変更後の表示位置を示す情報が送信され（Ｓ１０６）、当該情報に基づいて画像並び替えページ１８００が作成（更新）されることとした（Ｓ２００〜２０２）。しかしながら、携帯端末６は自端末において、画像並び替えページ１８００上のアルバム画像を表示位置を変更して表示した後、当該変更が確定された（保存ボタンが押下された）タイミングでサーバ４に上記変更後の表示位置を示す情報を送信してもよい。そして、サーバ４は当該情報をアルバム管理情報に記録するとともに、更新後のアルバム管理情報に基づき、アルバム詳細ページ１３７０を作成し、携帯端末６に送信すればよい。
【０２７０】
さらに、携帯端末６の入力制御部６１２は、表示位置変更指示の一つとして、アルバム画像のソートを指示する入力操作（ソート指示操作）がなされたか否かを判断してもよい。そして、上記ソート指示操作がなされたと判断された場合、制御部６０１はサーバ４に対しアルバム画像を所定の条件に応じてソートする旨の指示（ソート指示）を送信してもよい。この場合、サーバ４はソート指示を受けると、アルバム画像を上記所定の条件にてソートし、当該ソートの結果を反映させたアルバム画像の並び順で画像並び替えページ（またはアルバム詳細ページもしくはアルバム編集ページ）を再作成する。再作成されたページは携帯端末６に送信され、携帯端末６の表示制御部６１３は、上記再作成されたページを表示部６０５に表示させる。
【０２７１】
以下、図２０（ａ）〜（ｃ）を用いて、ソート指示操作およびアルバム画像のソートについて具体的に説明する。図２０（ａ）〜（ｃ）は、画像並び替えページ１８００に表示されるアルバム画像を所定の条件に応じてソートすることにより当該アルバム画像の表示位置を変更する例を示す図である。本変形例において、画像並び替えページ１８００は図２０（ａ）に示すように、画像ソートボタン１８２０を含む。画像ソートボタン１８２０は、アルバムに含まれる画像を所定の条件に応じてソート（並び替え）するためのボタンである。
【０２７２】
ユーザが画像ソートボタン１８２０を押下すると、図２０（ｂ）に示すようにソートメニュー１８３０が画像並び替えページ１８００内に表示される。ソートメニュー１８３０は、アルバム画像のソート条件を決定するためのメニューであり、例えば図示のように画像ソートボタン１８２０のプルダウンメニューとして表示される。ソートメニュー１８３０は、アルバム画像のソート条件として、例えば画像をサーバ４に保存した日付順（保存日順）、他人からの評価が高い順（いいね順）、他人からの閲覧が多い順（ＰＶ順）など、サーバ４が画像管理情報として保持している情報に基づいた条件を提示する。
【０２７３】
ここで、ユーザがソートメニュー１８３０のうち「保存日順」の項目を押下したとする。この場合、携帯端末６の入力制御部６１２はソート条件として保存日順が選択されたと判断する。そして、入力制御部６１２を含む制御部６０１は、通信制御部６１１および通信部６０３を介し、サーバ４に当該アルバム（図２０の例では「高校めんばー」アルバム）のアルバム画像の表示順序を、当該画像の保存日順に並び替えるよう指示する。
【０２７４】
サーバ４のウェブページ作成部４１３は、通信部４０３および通信制御部４１１を介し、ソート指示を受信する。そして、ウェブページ作成部４１３は、画像データベース４２４に格納された、「高校めんばー」アルバムのアルバム管理情報を参照し、当該アルバム管理情報に記録されている画像（すなわち、「高校めんばー」アルバムのアルバム画像）を特定する。次に、ウェブページ作成部４１３は特定したアルバム画像に対応する画像管理情報を参照することにより、アルバム画像の保存日を特定する。最後に、ウェブページ作成部４１３は、特定した保存日の順でアルバム画像を表示した画像並び替えページ１８００を作成し、当該ページを通信制御部４１１および通信部４０３を介し携帯端末６に送信する。なお、ソート条件の選択肢はソートメニュー１８３０のようにプルダウンウィンドウで表示されるのではなく、ページ下部のメニューバーに配置（例えば１８０６〜１８１０のような配置）されてもよい。
【０２７５】
携帯端末６の表示制御部６１３はアルバム並び替えページ１８００を通信部６０３および通信制御部６１１を介して受信し、これを表示部６０５に表示させる。以上の処理の結果、図２０（ｃ）に示す画像並び替えページ１８００が携帯端末６の表示部６０５に表示される。すなわち、当該ページでは、サムネイル画像１３７４ａ〜ｄが、当該サムネイル画像が示す画像の保存日順に並び替えられて表示される。
【０２７６】
さらに、上述したアルバム画像のソート機能は、アルバム画像の表示位置の並び替えまたは入れ替えの際に、ユーザが当該並び替えまたは入れ替えの対象となるアルバム画像を検索するために用いられてもよい。以下、図２０の（ｄ）〜（ｇ）を用いて、上記ユーザが上記ソート機能を利用して、表示位置の変更対象とするアルバム画像を検索および特定する処理について説明する。
【０２７７】
図２０（ｄ）は、画像挿入ボタン１８４０を含む、画像並び替えページ１８００を示している。画像挿入ボタン１８４０は、サムネイル画像１３７４ａ〜ｄそれぞれに付されたボタンであり、当該ボタンに対応するサムネイル画像の表示位置（配置箇所）に、アルバム内の別のアルバム画像を挿入するためのボタンである。
【０２７８】
ユーザが画像挿入ボタン１８４０を押下すると、画像挿入メニュー１８５０が画像並び替えページ１８００内に表示される。画像挿入メニュー１８５０は、後述するソート結果ウィンドウ１８６０内に表示するサムネイル画像をソートするためのメニューである。画像挿入メニュー１８５０は例えば、図示の通り画像挿入ボタン１８４０のプルダウンメニューとして表示される。画像挿入メニュー１８５０は、図２０（ｂ）に示したソートメニュー１８３０と同様に、保存日順、いいね順、ＰＶ順などのソート基準を提示すればよい。
【０２７９】
ここで、図２０（ｅ）に示すように、ユーザが画像挿入メニュー１８５０から「保存日順」の項目を押下したとする。この場合、携帯端末６はソートメニュー１８３０にて「保存日順」の項目が押下された場合と同様に、ソート条件として保存日順が選択されたと判断する。そして携帯端末６はアルバム画像の保存日順でのソートをサーバ４に指示する。サーバ４は図２０（ｆ）に示すように、当該指示に基づきアルバム画像をソートし、その結果を示すソート結果ウィンドウ１８６０（ソートページ）を併せて表示した画像並び替えページ１８００を作成し、携帯端末６に送る。携帯端末６は当該画像並び替えページを表示部６０５に表示させる。なお、ソート条件の選択肢は画像挿入メニュー１８５０のようにプルダウンウィンドウで表示されるのではなく、ページ下部のメニューバーに配置（例えば１８０６〜１８１０のような配置）されてもよい。また、ソート結果ウィンドウ１８６０の表示位置も、図１８図２０の（ｆ）の例に限られず、ページ上のどの位置に表示してもよい。
【０２８０】
ここで、ユーザがソート結果ウィンドウ１８６０に表示されたアルバム画像（図２０（ｆ）ではアルバム画像１８６１ａ）を選択すると、入力制御部６１２は、表示位置変更指示がなされたと判定する。より具体的には、入力制御部６１２は、図２０（ｄ）において押下された画像挿入ボタン１８４０に対応するアルバム画像（アルバム画像１３７４ｂ）を特定し、当該アルバム画像の表示位置に、ソート結果ウィンドウ１８６０から選択されたアルバム画像（アルバム画像１８６１ａ）を挿入する旨を示す表示位置変更指示がなされたと判定する。そして、制御部６０１はサーバ４に上記指示内容を送信し、サーバ４は上記指示内容を反映させた画像並び替えページ１８００を作成し、携帯端末６に送信する。以上の結果、図２０（ｇ）に示すように、アルバム画像の挿入を反映した画像並び替えページ１８００が、携帯端末６の表示部６０５に表示される。すなわち、当該ページでは、サムネイル画像１３７４ｂが表示されていた位置に、アルバム画像１８６１ａが挿入されて表示される。
【０２８１】
なお、このように画像の挿入を行う場合、画像が挿入された位置に元々表示されていた画像（図２０（ｄ）〜（ｇ）の場合はサムネイル画像１３７４ｂ）の表示位置は最後（最も下位（最も後）の表示順序）としてもよいし、挿入した画像の表示位置と入れ替えてもよい。さらには、画像を挿入した場合、挿入位置より後の表示位置にある画像について、当該表示位置を１つずつずらしてもよい。
【０２８２】
本実施形態に係る画像管理システム１０では、携帯端末６およびサーバ４は、アルバム画像の設定変更の一例として、アルバム画像の大きさ、重畳関係、および表示角度（アルバム画像の回転角度）を変更してもよい。図２１は、アルバム画像の設定変更の他の例を示す図である。図２１（ａ）は設定変更前の画像並び替えページ１８００を示しており、図２１（ｂ）〜（ｇ）は図２１（ａ）に示す画像並び替えページ１８００に対するユーザの入力操作を示している。
【０２８３】
携帯端末６に表示された、図２１（ａ）に示す画像並び替えページ１８００において、図２１（ｂ）に示すように、アルバム画像の上でユーザがピンチアウト動作を行ったとする。この場合、携帯端末６の入力制御部６１２は、上記ピンチアウト動作をアルバム画像の設定変更指示、具体的にはアルバム画像の表示サイズを変更する表示サイズ変更指示であると判定し、当該表示サイズ変更指示が示す、アルバム画像の変更後の表示サイズを示す情報をサーバ４に送信する。そしてサーバ４は、当該表示サイズを示す情報に応じた表示サイズで上記アルバム画像を表示した画像並び替えページ１８００を作成して、携帯端末６に送信する。そして、携帯端末６は受信した上記ページを表示部６０５に表示する。この結果、表示サイズの変更対象となったアルバム画像の表示サイズが変更される。具体的には、図２１（ｂ）に示すように、アルバム画像１３７４ｂは、図２１（ａ）に比べ大きな表示サイズで表示される。なおこのとき、アルバム画像１３７４ｂと他の画像とが重なる場合は、アルバム画像１３７４ｂを最前面に表示することが望ましい。
【０２８４】
ここで、図２１（ｂ）に示す画像並び替えページ１８００において、さらにアルバム画像１３７４ｄをユーザがタッチしたとする。この場合、入力制御部６１２は当該タッチにより、アルバム画像同士（１３７４ｄと１３７４ｂ）の重畳関係の設定を変更する重畳関係変更指示がなされたと判定し、変更後の重畳関係を示す情報をサーバ４に送信する。サーバ４は上記情報を反映させた画像並び替えページ１８００を作成し、携帯端末６に送信する。結果、図２１（ｃ）に示すように、画像１３７４ｄが画像１３７４ｂの前面に表示された画像並び替えページ１８００が携帯端末６の表示部６０５に表示される。
【０２８５】
なお、各アルバム画像の表示サイズには上限および下限が設けられていてもよい。さらに言えば、ここでいう下限の表示サイズは、ユーザがアルバム画像を視認できる最小の表示サイズであってもよい。また、各アルバム画像が重ならないように、図２１（ｄ）に示すように、ピンチアウト操作などによりあるアルバム画像が拡大された場合、当該拡大されたアルバム画像と重畳するアルバム画像の表示サイズを、上記拡大されたアルバム画像の表示サイズに応じて縮小してもよい。さらに、アルバム画像の表示サイズを最大まで拡大した場合は、隣接する画像の表示サイズが最小サイズになるように設定してもよい。この場合、上記最小サイズはユーザが視認可能な最小の表示サイズである。すなわち、上記拡大を行うアルバム画像は、隣接する画像が視認可能な範囲で拡大することができる。
【０２８６】
このように、アルバム画像の表示サイズをユーザの趣向に合わせて変更することにより、アルバム詳細ページ１３７０などにおいて、一度により多くのアルバム画像を表示することや、逆に少数のアルバム画像を大きなサイズで表示させたりすることができる。
【０２８７】
また、図２１（ａ）に示す画像並び替えページ１８００において図２１（ｅ）に示すように、ユーザがアルバム画像にタッチしながら指を回転する動作を行ったとする。この場合、携帯端末６の入力制御部６１２は、上記回転動作をアルバム画像の表示角度を変更する表示角度変更指示であると判定し、当該表示角度変更指示が示す、アルバム画像の変更後の表示角度を示す情報をサーバ４に送信する。そしてサーバ４は、当該表示角度を示す情報に応じた表示角度で上記アルバム画像を表示した画像並び替えページ１８００を作成して、携帯端末６に送信する。この結果、図２１（ｅ）に示すように、アルバム画像１３７４ｄは、図２０（ａ）と異なる表示角度で表示される。
【０２８８】
なお、以上の例では、ピンチアウト操作によりアルバム画像の表示サイズが大きくなる（アルバム画像を拡大する）こととしたが、ユーザの入力操作の種類と、アルバム画像の拡大または縮小との関係はこれに限られない。例えば、ユーザがアルバム画像に対しピンチインした場合に、当該アルバム画像の表示サイズが小さくなるようにしてもよい。また、図２１（ｆ）および（ｇ）に示すように、画像並び替えページ１８００に表示サイズ変更ボタン１８１４または１８１６が配置されている場合、入力制御部６１２は、これらのボタンを押下する操作がなされた場合に、表示サイズ変更指示がなされたと判定してもよい。同様に、画像並び替えページ１８００に表示角度変更ボタン１８１２が配置されている場合、入力制御部６１２は上記ボタンを押下する操作がなされた場合に、表示角度変更指示がなされたと判定してもよい。
【０２８９】
また、本実施形態に係る画像管理システム１０では、携帯端末６およびサーバ４は、アルバム詳細ページ１３７０、アルバム編集ページ１７００、および画像並び替えページ１８００の少なくともいずれかにおける背景（アルバム画像を配置した際に出来る余白部分）の色（背景色）または模様などの画像（背景画像）を変更してもよい。図２２（ａ）は、画像並び替えページ１８００の背景画像を変更した例を示す図である。ユーザが背景付加ボタン１８０６を押下すると、図２２（ａ）に示す通り、背景画像の選択ボタン群１９１０が画面上に表示される。さらにユーザが、背景画像の選択ボタン群１９１０のなかから所望の背景画像を示すボタン（図中では「背景１」）を押下すると、サーバ４のウェブページ作成部４１３は、画像並び替えページ１８００の背景画像を押下されたボタンに変更した画像並び替えページ１８００を作成し携帯端末６に送信する。結果、携帯端末６には、背景画像が変更された画像並び替えページ１８００が表示される。
【０２９０】
なお、アルバム詳細ページ１３７０、アルバム編集ページ１７００、および画像並び替えページ１８００におけるアルバム画像とアルバム画像との間隔（余白の大きさ）は所定のピクセル数で固定されていてもよいし、可変であってもよい。
【０２９１】
また、携帯端末６およびサーバ４は、ユーザの入力操作に応じて、アルバム詳細ページ１３７０、アルバム編集ページ１７００、および画像並び替えページ１８００の少なくともいずれかの背景に、スタンプを付せるようにしてもよい。図２２（ｂ）は、画像並び替えページ１８００にスタンプ１９２２を付した例を示す図である。ユーザがスタンプ付加ボタン１８０８を押下すると、図２２（ｂ）に示す通り、スタンプを選択するボタン群１９３０が画面上に表示される。ここでスタンプ（図中ではハート型のスタンプ）選択し、かつユーザがページ上（アルバム画像を配置する領域上）の所望の位置をタッチすると、携帯端末６の入力制御部６１２は当該操作を特定し、操作内容をサーバ４に送信する。そしてサーバ４のウェブページ作成部４１３は、選択されたハート型のスタンプ１９２２をタッチされた位置に表示した画像並び替えページ１８００を作成し、携帯端末６に送信する。結果、携帯端末６には、スタンプ１９２２が付加された画像並び替えページ１８００が表示される。また、携帯端末６およびサーバ４は、一般的にペン機能または落書き機能などと呼ばれる、指示具や指先などのタッチ軌跡に沿った線を描画できる機能を、上述したスタンプの付加機能の代わりに、またはスタンプの付加機能とともに有していてもよい。
【０２９２】
さらに、サーバ４は、携帯端末６におけるユーザの入力操作に応じて、アルバム詳細ページ１３７０、アルバム編集ページ１７００、および画像並び替えページ１８００においてアルバム画像を所定の型で型抜きして表示させてもよい。換言すると、サーバ４は、上記入力操作に応じて一枚のアルバム画像の画像全体のうち上述のページに表示する領域（表示領域）を変更してもよい。なお、ここで言う「型抜き」とは、アルバム画像そのものを変更する（アルバム画像をトリミングする）ことではなく、単にアルバム画像全体のうち、表示する領域を規定する（アルバム画像のデータ自体は変更しない）ことを示す。
【０２９３】
図２２（ｃ）は、画像並び替えページ１８００のアルバム画像１３７４ｄを型抜きした例を示す図である。ユーザが形状変更ボタン１８１０を押下すると、図２２（ｃ）に示す通り、アルバム画像の形状を選択するボタン群１９３０が画面上に表示される。さらにユーザが、アルバム画像を選択し、かつ上記ボタン群１９３０のなかから所望の形状を示すボタン（図中では角丸長方形）を押下すると、携帯端末６の入力制御部６１２は当該操作を、表示領域変更指示を示す操作であると判定し、当該指示内容をサーバ４に送信する。サーバ４のウェブページ作成部４１３は、上記指示内容に応じて、すなわち、選択されたアルバム画像を押下されたボタンに対応する形状および大きさに型抜きして表示した画像並び替えページ１８００を作成し、携帯端末６に送信する。結果、携帯端末６には、型抜きされたアルバム画像１９４０が表示された画像並び替えページ１８００が表示される。
【０２９４】
なお、上述の説明では型抜きの対象となるアルバム画像をユーザに選択させ、当該アルバム画像のみを型抜きすることとしたが、上記選択を行わせずに、表示されているアルバム画像全てを同じ形状としてもよい。また、図２２（ｃ）で示す画像の型抜き（形状変更）と、図２２（ａ）および（ｂ）で示す画像の拡大縮小および回転の少なくともいずれかと、を組み合わせてアルバム画像に施してもよい。
【０２９５】
（タイムラインページの詳細）
次にタイムラインページについて説明する。タイムラインページは、画像提供サイトのウェブページであって、ユーザ自身のアルバムおよび特定の他のユーザの公開アルバムが時系列で掲載されているウェブページである。具体的に、上記特定の他のユーザとは、ユーザがフォローしているユーザである。すなわち、ユーザは、他のユーザをフォローすることにより、タイムラインページにおいて、フォローしているユーザの所有する公開アルバムに含まれる生成画像（アルバム画像）を閲覧することができる。また、タイムラインページに掲載される画像は、写真シール作成装置１が生成した生成画像だけである。
【０２９６】
ユーザがマイページ１２００等において、ページ切替ボタン１２５１を押下すると、図２５に示すような、タイムラインページ１５００に遷移する。
【０２９７】
図２５に示すように、タイムラインページ１５００は、ユーザ画像１５１０、ユーザ名１５１１、更新時間１５１２、サムネイル画像１５２１〜１５２７、更新内容１５３０、アルバム評価数１５４０、画像保存ボタン１５５１およびユーザ検索ボタン１５５２を含む。１つのアルバムにつき、ユーザ画像１５１０、ユーザ名１５１１、更新時間１５１２、サムネイル画像１５２１〜１５２７、更新内容１５３０およびアルバム評価数１５４０が掲載される。
【０２９８】
ユーザ画像１５１０は、アルバムを所有するユーザのユーザ画像である。ユーザ名１５１１は、アルバムを所有するユーザの名称である。更新時間１５１２は、現在を基準とする、アルバムが更新（または作成）された時間（経過時間）を示す。なお、更新時間１５１２に、アルバムが更新（または作成）された時刻を掲載してもよい。更新内容１５３０は、アルバムの更新内容を示すものであり、図２５に示すように、例えば、アルバム名と追加した生成画像の枚数を掲載する。アルバム評価数１５４０は、アルバムのアルバム評価数である。なお、ユーザがアルバム評価数１５４０を押下することにより、評価が付与された画像および当該画像に対して評価を付与したユーザの一覧が表示されてもよい。
【０２９９】
サムネイル画像１５２１〜１５２７は、アルバム内の生成画像のサムネイル画像である。本実施形態では、アルバムのサムネイル画像が掲載される画像掲載領域１５２０内に最大７つのサムネイル画像が掲載される。なお、画像掲載領域１５２０内に掲載されるサムネイル画像の枚数は任意でよい。また、画像掲載領域１５２０内に掲載されるサムネイル画像の最大枚数は、写真シール作成装置１が１プレイで管理サーバ４に送信可能な生成画像の最大枚数と同値でもよい。また、アルバムの更新時以前の所定時間内に追加された生成画像（所定時間内に写真シール作成装置１から管理サーバ４に送信された生成画像）全てのサムネイル画像を画像掲載領域１５２０内に掲載してもよい。また、単に、アルバムへの追加順序（写真シール作成装置１から管理サーバ４への送信順序）に応じて、最新の７つの生成画像のサムネイル画像を画像掲載領域１５２０内に掲載してもよい。
【０３００】
また、本実施形態では、サムネイル画像１５２１〜１５２７は、アルバム内の表示順序が第１番〜第７番の生成画像のサムネイル画像である。なお、画像掲載領域１５２０内に掲載されるサムネイル画像は、アルバム内の任意の生成画像のサムネイル画像であってよい。
【０３０１】
また、画像掲載領域１５２０内に複数のサムネイル画像が掲載される場合、大きさ（縮小率）が異なるサムネイル画像が掲載される。具体的には、図２５に示すように、本実施形態では、アルバム内の表示順序が第１番目の生成画像のサムネイル画像の大きさを、第２番目〜第７番目の生成画像のサムネイル画像より大きく掲載する。なお、本実施形態では、２種類の大きさ（縮小率）のサムネイル画像を画像掲載領域１５２０内に掲載しているが、これに限るものではなく、３種以上の大きさ（縮小率）のサムネイル画像を画像掲載領域１５２０内に掲載してもよい。また、画像掲載領域１５２０内に複数のサムネイル画像が掲載される場合、撮影日時または保存日時が古い生成画像のサムネイル画像を、他の生成画像のサムネイル画像に比べて小さく掲載してもよい。
【０３０２】
画像保存ボタン１５５１は、新たに画像提供サイトに生成画像を保存するための画像保存ページに遷移するためのボタンである。例えば、ユーザは、この画像保存ページにおいて、シールＩＤを入力することにより、シールＩＤの示す１または複数の生成画像のうち、１または複数の生成画像を新たに画像提供サイトに保存することができる。
【０３０３】
ユーザ検索ボタン１５５２は、他のユーザを検索するためのユーザ検索ページに遷移するためのボタンである。ユーザは、ユーザ検索ページにおいて、他のユーザを検索し、所望の他のユーザをフォローすることができる。
【０３０４】
また、タイムラインページにおいて、ユーザがサムネイル画像の掲載位置を変更した場合、掲載位置の変更に連動して、アルバム内の生成画像の表示順序が変更されてもよい。すなわち、画像管理部４１４は、ユーザがサムネイル画像の掲載位置を変更すると、アルバム管理情報における画像の表示順序を更新する。具体的には、ユーザがサムネイル画像１５２１とサムネイル画像１５２２との掲載位置を入れ替えた場合、画像管理部４１４は、サムネイル画像１５２２に対応する生成画像の表示順序を「１」にし、サムネイル画像１５２１に対応する生成画像の表示順序を「２」に設定してもよい。
【０３０５】
また、タイムラインページにおいて、ユーザが何れかのサムネイル画像を押下すると、選択されたサムネイル画像に対応する生成画像の画像詳細ページ１３５０に遷移する。
【０３０６】
また、タイムラインページに、ユーザが未読のアルバムがある場合、ページ切替ボタン１２５１上に未読のアルバムの個数（更新件数）を示す未読アルバム数バッジを表示してもよい。
【０３０７】
〔実施形態２〕
以上では、本実施形態に係る携帯端末６に対する操作と、当該操作に応じてサーバ４がウェブページを作成する処理について説明した。次に、携帯端末６において、サーバ４から受信したウェブページ（特にアルバム詳細ページ１３７０、アルバム編集ページ１７００、および画像並び替えページ１８００の少なくともいずれか）を閲覧する際の処理について図２３〜２４を参照して説明する。なお、以降の図では、アルバム詳細ページ１３７０を閲覧することとして説明を行うが、他のページにおいても同様の処理を行えばよい。
【０３０８】
従来、ウェブページ等でアルバムを閲覧する（アルバムに含まれる画像を閲覧する）場合、当該アルバムに多数のアルバム画像が含まれている場合は、ユーザは携帯端末６を都度操作し、ウェブページをスクロールまたは画面送りする必要がありユーザの手間となっていた。本実施形態では上記問題点に鑑み、簡便な方法でアルバム画像を閲覧可能な携帯端末６について説明する。
【０３０９】
図２３は、アルバム詳細ページをスクロールさせる場合のユーザの操作およびアルバム詳細ページの表示の変化について示した図である。また、図２４は上記スクロールに係る処理の流れを示すフローチャートである。本実施形態に係る画像管理システム１０の携帯端末６は、アルバム詳細ページ１３７０、アルバム編集ページ１７００、および画像並び替えページ１８００の少なくともいずれかにおいて、当該ページを所定の速度（減衰しない一定の速度）でスクロールさせることにより、ユーザにアルバム画像を閲覧させる。図２３は、携帯端末６に表示されたアルバム詳細ページ１３７０と、当該ページに対するユーザの入力操作を示す図である。なお、図２３（ａ）の白抜き矢印はユーザのフリック操作の方向を示す。また図２３（ｄ）の太い矢印は、アルバム詳細ページ１３７０のスクロール方向を示す。なお、スクロール方向は図中では縦方向であるが、縦横いずれにもスクロール可能であってもよいし、横方向のみにスクロール可能であってもよい。
【０３１０】
図２３（ａ）に示すように、画像並び替えページ１８００においてアルバム画像の上でユーザが上方向へフリック動作を行ったとする。この場合、入力部６０２は当該フリック操作を受付け、入力制御部６１２は上記フリック操作を、スクロール開始指示（スクロール指示）を示すスクロール開始操作であると判定するとともに（図２４のＳ３００）、当該フリック操作の方向をスクロール方向として特定する（図２４のＳ３０２）。
【０３１１】
スクロール方向を特定すると、入力制御部６１２は、さらに、スクロールの速度を特定する（図２４のＳ３０４）。なお、上述のように本実施形態におけるスクロールの速度は予め定められているが、例えば上記スクロール開始指示を示す操作の継続時間などに応じて数段階の速度の中から選択されても良い。具体的には、強くタッチした場合や早く（短く）フリックした場合は、規定の速度のうち早い速度でアルバム詳細ページ１３７０をスクロールさせればよい。一方、軽くタッチした場合やゆっくりフリックを行った場合は、既定の速度のうち早い速度でアルバム詳細ページ１３７０をスクロールさせればよい。また、アルバム詳細ページ１３７０などに速度選択ボタンを設けておき、当該速度選択ボタンを操作することで、スクロール速度を設定（例えば「早い」、「普通」、「遅い」の３段階のうちから設定）できるようにしてもよい。
【０３１２】
スクロール方向とスクロール速度とが特定されると、入力制御部６１２は、表示制御部６１３に対し、アルバム詳細ページ１３７０を特定したスクロール方向に、特定したスクロール速度でスクロールするよう指示する。そして、表示制御部６１３は上記指示に従い、スクロールを開始する（図２４のＳ３０６）。結果、図２３（ｄ）に示すように、上方向へのスクロールが開始される。
【０３１３】
ここで、スクロール中に入力部６０２に対し所定の操作（例えば、アルバム詳細ページ１３７０をタッチする操作）が行われた場合、入力制御部６１２は、当該操作がスクロール停止操作か否かを判定する（図２４のＳ３０８）。スクロール停止操作でない場合（Ｓ３０８でＮＯ）は、表示制御部６１３によるスクロールは継続される。一方、スクロール停止操作であった場合（Ｓ３０８でＹＥＳ）、入力制御部６１２は、表示制御部６１３に対し、スクロールを停止するように指示する。表示制御部は上記指示を受けると、アルバム詳細ページ１３７０のスクロールを停止させる（図２４のＳ３１０）。
【０３１４】
以上の処理により、携帯端末６はユーザの入力操作に応じて所定の速度でアルバムページをスクロールさせることができる。ここで、上記スクロールは速度が減衰したりスクロール自体が停止したりしないものである。したがって、ユーザは、アルバムページのスクロールのために繰り返し入力操作を行わなくともよい。そのため、通信端末は、アルバムページの閲覧に係るユーザの操作の手間を省くことができるという効果を奏する。また、ユーザはスクロールされていくアルバム画像を閲覧することで、アルバム画像を連続的に閲覧し続けることができるという効果を奏する。
【０３１５】
なお、上述したように、スクロール方向は特に限定されない。例えば、図２３（ｅ）に示すように、アルバム画像を横にスクロールさせることが可能であってもよい。さらには、上下左右および斜めの８方向のうち、任意の方向にアルバム画像をスクロールさせることが可能であってもよい。
【０３１６】
なお、スクロール開始指示を示す操作およびスクロール停止指示を示す操作は、上述した例に限られない。例えば、図２３（ｂ）に示すように、アルバム詳細ページ１３７０にスクロールボタン２０００を設けられている場合、入力制御部６１２はスクロールボタン２０００が押下された場合、当該押下をスクロール開始指示と判定してもよい。また入力制御部６１２は、スクロール中に上記スクロールボタン２０００が再度押下された場合、当該押下をスクロール停止指示と判定しても良い。
【０３１７】
または、入力制御部６１２は、図２３（ｃ）に示すように、アルバム画像が表示されている領域をユーザがタッチしたことを検知し、これをスクロール開始指示であると判定してもよい。この場合入力制御部６１２はさらに、スクロール中にユーザが再度上記領域をタッチした場合、当該操作をスクロール停止指示と判定してもよい。
【０３１８】
さらに、入力制御部６１２は、入力部６０２に対する入力操作の継続時間が所定の閾値以下である場合に、当該入力操作をスクロール開始指示であると判定してもよい。なお、上記所定の閾値は例えば、ユーザが文字入力など、アルバムページに対し何らかの情報の入力を行う操作にかかる時間よりも小さい値であることが望ましい。これにより、ユーザが文字入力など、アルバムページに対する何らかの入力を行っている場合に誤ってスクロールを開始することを防ぐことができる。また、スクロール開始指示を示す操作として特別な操作を規定しておかなくとも、通常のタッチやフリックを短く（早く）行うか、長く（ゆっくり）行うかの違いで処理を振り分けることができる。
【０３１９】
また、携帯端末６の表示制御部は、上記スクロールの際に、各アルバム画像にフェードインまたはフェードアウト等のような演出効果を付してもよい。また、携帯端末６において、図示しない出力部から、スクロール中に特定のＢＧＭを鳴らすこととしてもよい。さらには、当該ＢＧＭはユーザにより設定（選曲）が変更可能であってもよい。また当該ＢＧＭは、閲覧中のアルバムまたはアルバム画像に応じて切替えられるものであってもよい。
【０３２０】
〔変形例〕
上記各実施形態では、管理サーバ４のウェブページ作成部４１３が画像提供サイトのウェブページを作成して、携帯端末６は、管理サーバ４から当該ウェブページを表示するためのデータを受信して、当該ウェブページを表示している。しかしながら、これに限るものではない。例えば、携帯端末６の表示制御部６１３がページ作成機能を有し、管理サーバ４から受信したデータに基づいて、画像提供サイトのウェブページを作成してもよい。
【０３２１】
具体的には、携帯端末６の通信制御部６１１が予め管理サーバ４から画像提供サイトのウェブページの作成に必要なデータ（例えば、画像提供サイトのアプリケーション）を受信しておく。そして、携帯端末６の通信制御部６１１が管理サーバ４から生成画像および画像管理情報等のデータを受信し、携帯端末６の表示制御部６１３は、受信したデータに基づいて、画像提供サイトのウェブページを作成する。そして、表示制御部６１３は、作成したウェブページを表示部６０５に表示させる。
【０３２２】
また、上記各実施形態において、アルバム画像は、画像並び替えページ１８００などにおいて、紙のアルバムに写真や画像をコラージュするかのように自由に配置されてもよい。換言すると、アルバム画像は、単に規定の表示順序にしたがった表示位置にはめ込まれるのではなく、ユーザにより表示位置が細かく設定できるものであってもよい。この場合、画像データベース４２４内のアルバム管理情報は、画像の表示位置を示す情報を、表示順序ではなく、例えばアルバムページ内の座標値などで保持すればよい。これにより、サーバ４および携帯端末６は、よりユーザの趣向に富んだアルバムページを提供することができる。また、サーバ４にアルバム詳細ページ１３７０のテンプレートなどを予め記録しておき、ユーザが選択したテンプレートに画像をはめ込むようにしてもよい。なお、ここで言う「テンプレート」とは、少なくとも画像の表示位置（画像をはめ込む箇所）と、はめ込んだ後の画像の形状が規定された、アルバム詳細ページの雛形である。
【０３２３】
また、上記各実施形態において、アルバム画像の表示方法は、図１８等に表示した一覧リストのような形式には限定されない。例えば、あるアルバムに所定枚数以上のアルバム画像が含まれる場合、サーバ４は、当該アルバム画像を組み合わせ、全てのアルバム画像を俯瞰した時に何らかの模様や形状が見られる（モザイクアートなど）ように表示したアルバム詳細ページ１３７０を作成してもよい。
【０３２４】
また、アルバム毎に、上述したアルバム画像の表示方法を変更してもよい。
【０３２５】
〔ソフトウェアによる実現例〕
携帯端末６またはサーバ４の制御ブロックは、集積回路（ＩＣチップ）等に形成された論理回路（ハードウェア）によって実現してもよいし、ＣＰＵ（Central Processing Unit）を用いてソフトウェアによって実現してもよい。
【０３２６】
後者の場合、携帯端末６またはサーバ４は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０３２７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０３２８】
本発明は、写真シール作成装置において作成された画像を保存する管理サーバと、上記画像を閲覧する携帯端末と、を含む画像管理システムに好適に利用することができる。
【符号の説明】
【０３２９】
１  写真シール作成装置
４  管理サーバ（サーバ）
６  携帯端末（通信端末）
１１  撮影ユニット
１２  編集部
１３  事後接客部
２１  撮影部
２０１  制御部
３１１  通信制御部
３１２  撮影制御部
３１３  編集制御部
３１４  印刷制御部
３１５  事後接客制御部
４０１  制御部
４０２  記憶部
４０３  通信部
４１１  通信制御部（情報受信部、サーバ送信部）
４１２  メール作成部
４１３  ウェブページ作成部（アルバムページ作成部）
４１４  画像管理部
４１５  ユーザ管理部
６０１  制御部（ソートページ作成指示部）
６０２  記憶部
６０３  通信部
６０４  入力部
６０５  表示部
６１１  通信制御部（送信部）
６１２  入力制御部（指示判定部、選択画像特定部、方向特定部、変更画像特定部）
６１３  表示制御部（スクロール部）
【要約】
【課題】ユーザの趣向に沿ったウェブページを提供する。
【解決手段】携帯端末（６）は、ユーザの入力操作を受け付ける入力部（６０２）と、上記入力操作からアルバム画像の配置の変更指示を受けたか否かを判定する入力制御部（６１２）と、入力制御部（６１２）が上記変更指示を受けたと判定した場合に、上記変更指示が示す、変更後のアルバム画像の配置を示す情報をサーバ（４）に送信する通信制御部（６１１）とを備える。
【選択図】図１２【図１】
0005924429.tif 000002
【図２】
0005924429.tif 000003
【図３】
0005924429.tif 000004
【図４】
0005924429.tif 000005
【図５】
0005924429.tif 000006
【図６】
0005924429.tif 000007
【図７】
0005924429.tif 000008
【図８】
0005924429.tif 000009
【図９】
0005924429.tif 000010
【図１０】
0005924429.tif 000011
【図１１】
0005924429.tif 000012
【図１２】
0005924429.tif 000013
【図１３】
0005924429.tif 000014
【図１４】
0005924429.tif 000015
【図１５】
0005924429.tif 000016
【図１６】
0005924429.tif 000017
【図１７】
0005924429.tif 000018
【図１８】
0005924429.tif 000019
【図１９】
0005924429.tif 000020
【図２０】
0005924429.tif 000021
【図２１】
0005924429.tif 000022
【図２２】
0005924429.tif 000023
【図２３】
0005924429.tif 000024
【図２４】
0005924429.tif 000025
【図２５】
0005924429.tif 000026
【図２６】
0005924429.tif 000027
【図２７】
0005924429.tif 000028
【図２８】
0005924429.tif 000029